(57)【特許請求の範囲】
【請求項１】
信号（ＳＩＧ）フィールドを備えるプリアンブルを生成すること、前記ＳＩＧフィールドは、複数の装置に関する複数の空間ストリームの割当て及び数を、各装置を明示的に識別せずに示す複数のビットを備える、
前記プリアンブルを前記複数の装置に送信すること、
前記複数のビットはコードを表し、
前記コードの異なる値は、異なる数の複数の装置に割当てられた空間ストリームの数の異なる組合せにマップし、
前記コードは、第１の値の１乃至Ｓビットと第２の値のＮ−１ビットを備え、Ｓは前記複数の装置に割当てられた前記空間ストリームの数であり、Ｎは前記複数の装置の数である、
を備える、無線通信のための方法。
【請求項２】
前記第１の値の各ビットは、前記複数の装置のうちの１つに割当てられた前記空間ストリームのうちの１つを表し、
前記第２の値の各ビットは、前記複数の装置のうちの２者間における前記空間ストリームの割当てを視覚的に示すセパレータ・シンボルを表す、
請求項１記載の方法。
【請求項３】
拡張コードを得るために前記第２の値の１または複数のビットを前記コードに付加すること、前記拡張コードの長さは前記複数の組合せのすべてに関して同じである
をさらに備える、請求項２記載の方法。
【請求項４】
方法であって、
信号（ＳＩＧ）フィールドを備えるプリアンブルを生成すること、前記ＳＩＧフィールドは、複数の装置に関する複数の空間ストリームの割当て及び数を、各装置を明示的に識別せずに示す複数のビットを備える、
前記プリアンブルを前記複数の装置に送信すること、
を備え、
前記複数のビットはコードを表し、
前記コードの異なる値は、異なる数の複数の装置に割当てられた空間ストリームの数の異なる組合せにマップする、前記方法はさらに、
前記複数の組合せのサブセットにマップされた前記コードの異なる値を、２進値の第１のセットを用いて前記サブセットを符号化することにより得ること、前記サブセットは、前記複数の装置のうちの少なくとも１つに１つの空間ストリームも割当てられない複数の組合せを備え、前記２進値の第１のセットは、ゼロから始まって１だけ減少された規定された値で終わる複数の逐次的１０進整数の２進表現を備え、前記規定された値は前記サブセット中の前記組合せの数を示し、
残りの複数の組合せにマップされた前記コードの残りの異なる値を、２進値の第２のセットを用いて前記残りの複数の組合せを符号化することにより得ること、前記２進値の第２のセットは、前記規定された値から始まって前記複数の組合せのすべての数より１だけ減少されたもので終わる複数の逐次的１０進整数の２進表現を備える、
を備える、無線通信のための方法。
【請求項５】
信号（ＳＩＧ）フィールドを備えるプリアンブルを生成するように構成された第１の回路と、前記ＳＩＧフィールドは、複数の他の装置に関する複数の空間ストリームの割当て及び数を、前記複数の他の装置のそれぞれを明示的に識別せずに示す複数のビットを備える、
前記プリアンブルを前記複数の他の装置に送信するように構成された送信機と、
を備え、
前記複数のビットはコードを表し、
前記コードの異なる値は、異なる数の複数の他の装置に割当てられた空間ストリームの数の異なる組合せにマップし、
前記コードは、第１の値の１乃至Ｓビットと第２の値のＮ−１ビットを備え、Ｓは前記複数の他の装置に割当てられた前記空間ストリームの数であり、Ｎは前記複数の他の装置の数である、
無線通信のための装置。
【請求項６】
前記第１の値の各ビットは、前記複数の他の装置のうちの１つに割当てられた前記空間ストリームのうちの１つを表し、
前記第２の値の各ビットは、前記複数の他の装置のうちの２者間における前記空間ストリームの割当てを視覚的に示すセパレータ・シンボルを表す
請求項５記載の装置。
【請求項７】
拡張コードを得るために前記第２の値の１または複数のビットを前記コードに付加するように構成された付加回路を、更に備え、前記拡張コードの長さは前記複数の組合せのすべてに関して同じである
請求項６記載の装置。
【請求項８】
装置であって、
信号（ＳＩＧ）フィールドを備えるプリアンブルを生成するように構成された第１の回路と、前記ＳＩＧフィールドは、複数の他の装置に関する複数の空間ストリームの割当て及び数を、前記複数の他の装置のそれぞれを明示的に識別せずに示す複数のビットを備える、
前記プリアンブルを前記装置に送信するように構成された送信機と、
を備え、
前記複数のビットはコードを表し、
前記コードの異なる値は、異なる数の複数の他の装置に割当てられた空間ストリームの数の異なる組合せにマップする、前記装置はさらに、
複数の組合せのサブセットにマップされた前記コードの異なる値を、２進値の第１のセットを用いて前記サブセットを符号化することにより得るように構成された符号器
を備え、前記サブセットは、前記複数の他の装置のうちの少なくとも１つに１つの空間ストリームも割当てられない複数の組合せを備え、前記２進値の第１のセットは、ゼロから始まって１だけ減少された規定された値で終わる複数の逐次的１０進整数の２進表現を備え、前記規定された値は前記サブセット中の前記組合せの数を示し、
前記符号器はまた、残りの複数の組合せにマップされた前記コードの残りの異なる値を、２進値の第２のセットを用いて前記残りの複数の組合せを符号化することにより得るように構成され、前記２進値の第２のセットは、前記規定された値から始まって前記複数の組合せのすべての数より１だけ減少されたもので終わる複数の逐次的１０進整数の２進表現を備える、
無線通信のための装置。
【請求項９】
信号（ＳＩＧ）フィールドを備えるプリアンブルを生成するための手段と、前記ＳＩＧフィールドは、複数の他の装置に関する複数の空間ストリームの割当て及び数を、前記複数の他の装置のそれぞれを明示的に識別せずに示す複数のビットを備える、
前記プリアンブルを前記装置に送信するための手段と、
を備え、
前記複数のビットはコードを表し、
前記コードの異なる値は、異なる数の複数の他の装置に割当てられた空間ストリームの数の異なる組合せにマップし、
前記コードは、第１の値の１乃至Ｓビットと第２の値のＮ−１ビットを備え、Ｓは前記複数の他の装置に割当てられた前記空間ストリームの数であり、Ｎは前記複数の他の装置の数である、
無線通信のための装置。
【請求項１０】
前記第１の値の各ビットは、前記複数の他の装置のうちの１つに割当てられた前記空間ストリームのうちの１つを表し、
前記第２の値の各ビットは、前記複数の他の装置のうちの２者間における前記空間ストリームの割当てを視覚的に示すセパレータ・シンボルを表す
請求項９記載の装置。
【請求項１１】
拡張コードを得るために前記第２の値の１または複数のビットを前記コードに付加するための手段と、前記拡張コードの長さは前記複数の組合せのすべてに関して同じである
をさらに備える、請求項１０記載の装置。
【請求項１２】
装置であって、
信号（ＳＩＧ）フィールドを備えるプリアンブルを生成するための手段と、前記ＳＩＧフィールドは、複数の他の装置に関する複数の空間ストリームの割当て及び数を、前記複数の他の装置のそれぞれを明示的に識別せずに示す複数のビットを備える、
前記プリアンブルを前記装置に送信するための手段と、
を備え、
前記複数のビットはコードを表し、
前記コードの異なる値は、異なる数の複数の他の装置に割当てられた空間ストリームの数の異なる組合せにマップする、前記装置はさらに、
前記複数の組合せのサブセットにマップされた前記コードの異なる値を、２進値の第１のセットを用いて前記サブセットを符号化することにより得るための手段と、前記サブセットは、前記複数の他の装置のうちの少なくとも１つに１つの空間ストリームも割当てられない複数の組合せを備え、前記２進値の第１のセットは、ゼロから始まって１だけ減少された規定された値で終わる複数の逐次的１０進整数の２進表現を備え、前記規定された値は前記サブセット中の前記組合せの数を示し、
残りの複数の組合せにマップされた前記コードの残りの異なる値を、２進値の第２のセットを用いて前記残りの複数の組合せを符号化することにより得るための手段と、前記２進値の第２のセットは、前記規定された値から始まって前記複数の組合せのすべての数より１だけ減少されたもので終わる複数の逐次的１０進整数の２進表現を備える、
を備える、無線通信のための装置。
【請求項１３】
装置及び複数の他の装置に送信されるプリアンブルを、前記装置において受信すること、前記プリアンブルは信号（ＳＩＧ）フィールドを備える、前記ＳＩＧフィールドは、複数の装置に関する複数の空間ストリームの割当て及び数を、各装置を明示的に識別せずに示す複数のビットを備える、
前記複数のビットに基づいて、いずれの空間ストリームが前記装置に割当てられるかを決定すること、
を備え、
前記複数のビットはコードを表し、
前記コードの異なる値は、異なる数の複数の他の装置に割当てられた空間ストリームの数の異なる組合せにマップし、
前記コードは、第１の値の１乃至Ｓビットと第２の値のＮ−１ビットを備え、Ｓは前記複数の装置に割当てられた前記空間ストリームの数であり、Ｎは前記複数の装置の数である、
無線通信のための方法。
【請求項１４】
前記第１の値の各ビットは、前記複数の装置のうちの１つに割当てられた前記空間ストリームのうちの１つを表し、
前記第２の値の各ビットは、前記複数の装置のうちの２者間における前記空間ストリームの割当てを視覚的に示すセパレータ・シンボルを表す
請求項１３記載の方法。
【請求項１５】
前記第２の値の１または複数のビットは、拡張コードを得るために前記コードに付加される、前記拡張コードの長さは前記複数の組合せのすべてに関して同じである、請求項１４記載の方法。
【請求項１６】
装置及び複数の他の装置に送信されるプリアンブルを、前記装置において受信すること、前記プリアンブルは信号（ＳＩＧ）フィールドを備える、前記ＳＩＧフィールドは、複数の装置に関する複数の空間ストリームの割当て及び数を、各装置を明示的に識別せずに示す複数のビットを備える、
前記複数のビットに基づいて、いずれの空間ストリームが前記装置に割当てられるかを決定すること、
を備え、
前記複数のビットはコードを表し、
前記コードの異なる値は、異なる数の複数の他の装置に割当てられた空間ストリームの数の異なる組合せにマップし、
前記複数の組合せのサブセットにマップされた前記コードの異なる値は、２進値の第１のセットを用いて前記サブセットを符号化することにより得られ、前記サブセットは、前記複数の装置のうちの少なくとも１つに１つの空間ストリームも割当てられない複数の組合せを備え、前記２進値の第１のセットは、ゼロから始まって１だけ減少された規定された値で終わる複数の逐次的１０進整数の２進表現を備え、前記規定された値は前記サブセット中の前記組合せの数を示し、
残りの複数の組合せにマップされた前記コードの残りの異なる値は、２進値の第２のセットを用いて前記残りの複数の組合せを符号化することにより得られ、前記２進値の第２のセットは、前記規定された値から始まって前記複数の組合せのすべての数より１だけ減少されたもので終わる複数の逐次的１０進整数の２進表現を備える
無線通信のための方法。
【請求項１７】
装置及び複数の他の装置に送信されたプリアンブルを受信するように構成された受信機と、前記プリアンブルは信号（ＳＩＧ）フィールドを備える、前記ＳＩＧフィールドは、複数の装置に関する複数の空間ストリームの割当て及び数を、各装置を明示的に識別せずに示す複数のビットを備える、
前記複数のビットに基づいて、いずれの空間ストリームが前記装置に割当てられるかを決定するように構成された回路と、
を備え、
前記複数のビットはコードを表し、
前記コードの異なる値は、異なる数の複数の装置に割当てられた空間ストリームの数の異なる組合せにマップし、
前記コードは、第１の値の１乃至Ｓビットと第２の値のＮ−１ビットを備え、Ｓは前記複数の装置に割当てられた前記空間ストリームの数であり、Ｎは前記複数の装置の数である、
無線通信のための装置。
【請求項１８】
前記第１の値の各ビットは、前記複数の装置のうちの１つに割当てられた前記空間ストリームのうちの１つを表し、
前記第２の値の各ビットは、前記複数の装置のうちの２者間における前記空間ストリームの割当てを視覚的に示すセパレータ・シンボルを表す
請求項１７記載の装置。
【請求項１９】
前記第２の値の１または複数のビットは、拡張コードを得るために前記コードに付加される、前記拡張コードの長さは前記複数の組合せのすべてに関して同じである、請求項１８記載の装置。
【請求項２０】
装置及び複数の他の装置に送信されたプリアンブルを受信するように構成された受信機と、前記プリアンブルは信号（ＳＩＧ）フィールドを備える、前記ＳＩＧフィールドは、複数の装置に関する複数の空間ストリームの割当て及び数を、各装置を明示的に識別せずに示す複数のビットを備える
前記複数のビットに基づいて、いずれの空間ストリームが前記装置に割当てられるかを決定するように構成された回路と、
を備え、
前記複数のビットはコードを表し、
前記コードの異なる値は、異なる数の複数の装置に割当てられた空間ストリームの数の異なる組合せにマップし、
前記複数の組合せのサブセットにマップされた前記コードの異なる値は、２進値の第１のセットを用いて前記サブセットを符号化することにより得られ、前記サブセットは、前記複数の装置のうちの少なくとも１つに１つの空間ストリームも割当てられない複数の組合せを備え、前記２進値の第１のセットは、ゼロから始まって１だけ減少された規定された値で終わる複数の逐次的１０進整数の２進表現を備え、前記規定された値は前記サブセット中の前記組合せの数を示し、
残りの複数の組合せにマップされた前記コードの残りの異なる値は、２進値の第２のセットを用いて前記残りの複数の組合せを符号化することにより得られ、前記２進値の第２のセットは、前記規定された値から始まって前記複数の組合せのすべての数より１だけ減少されたもので終わる複数の逐次的１０進整数の２進表現を備える、
無線通信のための装置。
【請求項２１】
装置及び複数の他の装置に送信されたプリアンブルを受信するための手段と、前記プリアンブルは信号（ＳＩＧ）フィールドを備える、前記ＳＩＧフィールドは、複数の装置に関する複数の空間ストリームの割当て及び数を、各装置を明示的に識別せずに示す複数のビットを備える、
前記複数のビットに基づいて、いずれの空間ストリームが前記装置に割当てられるかを決定するための手段と、
を備え、
前記複数のビットはコードを表し、
前記コードの異なる値は、異なる数の複数の装置に割当てられた空間ストリームの数の異なる組合せにマップし、
前記コードは、第１の値の１乃至Ｓビットと第２の値のＮ−１ビットを備え、Ｓは前記複数の装置に割当てられた前記空間ストリームの数であり、Ｎは前記複数の装置の数である、
無線通信のための装置。
【請求項２２】
前記第１の値の各ビットは、前記複数の装置のうちの１つに割当てられた前記空間ストリームのうちの１つを表し、
前記第２の値の各ビットは、前記複数の装置のうちの２者間における前記空間ストリームの割当てを視覚的に示すセパレータ・シンボルを表す
請求項２１記載の装置。
【請求項２３】
前記第２の値の１または複数のビットは、拡張コードを得るために前記コードに付加される、前記拡張コードの長さは前記複数の組合せのすべてに関して同じである、請求項２２記載の装置。
【請求項２４】
装置及び複数の他の装置に送信されたプリアンブルを受信するための手段と、前記プリアンブルは信号（ＳＩＧ）フィールドを備える、前記ＳＩＧフィールドは、複数の装置に関する複数の空間ストリームの割当て及び数を、各装置を明示的に識別せずに示す複数のビットを備える、
前記複数のビットに基づいて、いずれの空間ストリームが前記装置に割当てられるかを決定するための手段と、
を備え、
前記複数のビットはコードを表し、
前記コードの異なる値は、異なる数の複数の装置に割当てられた空間ストリームの数の異なる組合せにマップし、
前記複数の組合せのサブセットにマップされた前記コードの異なる値は、２進値の第１のセットを用いて前記サブセットを符号化することにより得られ、前記サブセットは、前記複数の装置のうちの少なくとも１つに１つの空間ストリームも割当てられない複数の組合せを備え、前記２進値の第１のセットは、ゼロから始まって１だけ減少された規定された値で終わる複数の逐次的１０進整数の２進表現を備え、前記規定された値は前記サブセット中の前記組合せの数を示し、
残りの複数の組合せにマップされた前記コードの残りの異なる値は、２進値の第２のセットを用いて前記残りの複数の組合せを符号化することにより得られ、前記２進値の第２のセットは、前記規定された値から始まって前記複数の組合せのすべての数より１だけ減少されたもので終わる複数の逐次的１０進整数の２進表現を備える、
無線通信のための装置。
【発明の詳細な説明】
【米国特許法１１９条に基づく優先権の主張】
【０００１】
本願は、２００９年１１月６日に提出された仮米国特許出願第６１／２５９，０６５号及び２００９年１１月１２日に提出された仮米国特許出願第６１／２６０，４５２号に基づいて優先権を主張する。上記の仮米国特許出願は、その権利が本願出願人に譲渡され、その全体がここにおいて参考文献とされる。
【技術分野】
【０００２】
本開示のある態様は、一般に、無線通信に関するものであり、具体的には、クライアント当りの空間ストリームの数の組合せを信号で送る（signaling）ための送信プリアンブル（preamble）の信号（ＳＩＧ：signal）フィールドを設計する方法に関する。
【背景技術】
【０００３】
無線通信システムに要求される帯域幅要求を増大させる課題に対処するために、高いデータ・スループットを達成する一方でチャネル・リソースを共用することにより複数のユーザ端末が単一のアクセス・ポイントと通信することを可能にするための、異なるスキームが開発されている。多入力多出力（ＭＩＭＯ）テクノロジーは、次世代通信システム向けの人気のある技術として最近出現した１つのこのようなアプローチを表す。ＭＩＭＯテクノロジーは、電気電子技術者協会（ＩＥＥＥ）８０２．１１規格のような、いくつかの新興の無線通信標準において採用されてきた。ＩＥＥＥ ８０２．１１は、短距離通信（例えば、何十メートルから数百メートル）のためにＩＥＥＥ ８０２．１１委員会によって開発された１組の無線ローカル・エリア・ネットワーク（ＷＬＡＮ）エア・インターフェース規格を意味する。
【０００４】
ＭＩＭＯ無線システムは、データ送信のためにいくつか（ＮＲ）の受信アンテナといくつか（ＮＴ）の送信アンテナを使用する。ＮＲの受信アンテナとＮＴの送信アンテナにより形成されるＭＩＭＯチャネルは、ＮＳの空間ストリームに分割されることができ、ここで、ＮＳ≦ｍｉｎ｛ＮＴ，ＮＲ｝である。ＮＳの空間ストリームは、より大きい全体的なスループットを達成するために、ＮＳの独立したデータ・ストリームを送信するために使用されることができる。
【０００５】
単一のアクセス・ポイント（ＡＰ）と複数のユーザ局（ＳＴＡ）とを備える無線ネットワークにおいては、並行の送信が、アップリンク及びダウンリンクの両方向において、異なる局に向かって複数のチャネル上で発生し得る。このようなシステムには、多くの課題が存在する。
【０００６】
ロバストなマルチ・ユーザ（ＭＵ）ＭＩＭＯ受信には、ＡＰがすべてのトレーニング・シーケンスをユーザＳＴＡに送信することが要求される。トレーニング・シーケンスは、各ＳＴＡがすべてのＡＰアンテナからそのＳＴＡのアンテナへのチャネルを推定することを可能にする。そのＳＴＡは、他のユーザＳＴＡに対応するＭＵ−ＭＩＭＯストリームからの実効干渉ヌリング（nulling）を行うために、すべてのＡＰアンテナからのチャネルを使用する。ＳＴＡの各々においてロバストな干渉除去を行うために、各ＳＴＡは、いずれの１または複数の空間ストリームがＳＴＡに属するかを知ること、及びいずれの１または複数の空間ストリームがネットワーク中の他のＳＴＡに属するかを知ることを要求される。
【発明の概要】
【０００７】
ある態様は、無線通信のための方法を提供する。この方法は、一般に、プリアンブルの信号（ＳＩＧ）フィールドを生成することを含み、ここにおいて、このＳＩＧフィールドは、複数の装置に割当てられた空間ストリームの数を、各装置を明示的に識別せずに示す複数のビットを備え、及びこの方法はプリアンブルを装置に送信することを含む。
【０００８】
ある態様は、無線通信のための装置を提供する。この装置は、一般に、信号（ＳＩＧ）フィールドを備えるプリアンブルを生成するように構成された第１の回路を含み、ここにおいて、このＳＩＧフィールドは、複数の他の装置に関する空間ストリームの割当て及び数を、他の装置のそれぞれを明示的に識別せずに示す複数のビットを備え、及びこの装置はプリアンブルを他の装置に送信するように構成された送信機を含む。
【０００９】
ある態様は、無線通信のための装置を提供する。この装置は、一般に、信号（ＳＩＧ）フィールドを備えるプリアンブルを生成するための手段を含み、ここにおいて、このＳＩＧフィールドは、複数の他の装置に関する空間ストリームの割当て及び数を、他の装置のそれぞれを明示的に識別せずに示す複数のビットを備え、及びこの装置はプリアンブルを他の装置に送信するための手段を含む。
【００１０】
ある態様は、無線通信のためのコンピュータ・プログラム製品を提供する。このコンピュータ・プログラム製品はコンピュータ可読媒体を含み、このコンピュータ可読媒体は、信号（ＳＩＧ）フィールドを備えるプリアンブルを生成するために実行可能な命令を備え、ここにおいて、このＳＩＧフィールドは、複数の装置に関する空間ストリームの割当て及び数を、各装置を明示的に識別せずに示す複数のビットを備え、及びプリアンブルを装置に送信するために実行可能な命令を備える。
【００１１】
ある態様はアクセス・ポイントを提供する。このアクセス・ポイントは、一般に、少なくとも１つのアンテナ、信号（ＳＩＧ）フィールドを備えるプリアンブルを生成するように構成された第１の回路を含み、ここにおいて、ＳＩＧフィールドは、複数の無線ノードに関する空間ストリームの割当て及び数を、各無線ノードを明示的に識別せずに示す複数のビットを備え、及びこのアクセス・ポイントは少なくとも１つのアンテナを介してプリアンブルを無線ノードに送信するように構成された送信機を含む。
【００１２】
ある態様は、無線通信のための方法を提供する。この方法は、一般に、装置及び他の装置に送信されるプリアンブル内で信号（ＳＩＧ）フィールドを、その装置において受信することを含み、ここにおいて、ＳＩＧフィールドは、複数の装置に割当てられた空間ストリームの数を、各装置を明示的に識別せずに示す複数のビットを備え、及びこの方法はその複数のビットに基づいて、いずれの空間ストリームが装置に割当てられるかを決定することを含む。
【００１３】
ある態様は、無線通信のための装置を提供する。この装置は、一般に、その装置及び他の装置に送信されたプリアンブルを受信するように構成された受信機を含み、そのプリアンブルは信号（ＳＩＧ）フィールドを備え、ここにおいて、ＳＩＧフィールドは、複数の装置に関する空間ストリームの割当て及び数を、各装置を明示的に識別せずに示す複数のビットを備え、及びこの装置はその複数のビットに基づいて、いずれの空間ストリームが装置に割当てられるかを決定するように構成された回路を含む。
【００１４】
ある態様は、無線通信のための装置を提供する。この装置は、一般に、その装置及び他の装置に送信されたプリアンブルを受信するための手段を含み、そのプリアンブルは信号（ＳＩＧ）フィールドを備え、ここにおいて、ＳＩＧフィールドは、複数の装置に関する空間ストリームの割当て及び数を、各装置を明示的に識別せずに示す複数のビットを備え、及びこの装置はその複数のビットに基づいて、いずれの空間ストリームが装置に割当てられるかを決定するための手段を含む。
【００１５】
ある態様は、無線通信のためのコンピュータ・プログラム製品を提供する。このコンピュータ・プログラム製品はコンピュータ可読媒体を含み、このコンピュータ可読媒体は、装置及び他の装置に送信されたプリアンブルを、その装置において受信するために実行可能な命令を備え、そのプリアンブルは信号（ＳＩＧ）フィールドを備え、ここにおいて、ＳＩＧフィールドは、複数の装置に関する空間ストリームの割当て及び数を、各装置を明示的に識別せずに示す複数のビットを備え、及びその複数のビットに基づいて、いずれの空間ストリームが装置に割当てられるかを決定するために実行可能な命令を備える。
【００１６】
ある態様は、無線ノードを提供する。この無線ノードは、一般に、少なくとも１つのアンテナと、その無線ノード及び他の無線ノードに送信されたプリアンブルを、その少なくとも１つのアンテナを介して受信するように構成された受信機を含み、そのプリアンブルは信号（ＳＩＧ）フィールドを備え、ここにおいて、ＳＩＧフィールドは、複数の無線ノードに関する空間ストリームの割当て及び数を、各無線ノードを明示的に識別せずに示す複数のビットを備え、及びこの無線ノードは、その複数のビットに基づいて、いずれの空間ストリームが無線ノードに割当てられるかを決定するように構成された回路を含む。
【００１７】
ある態様は、無線通信のための方法を提供する。この方法は、一般に、複数の識別子（ＩＤ）を備えるフレームを、装置において生成することを含み、ここにおいて、その複数のＩＤは、複数の装置に割当てられ、及びこの方法は、そのフレームをその複数の装置に送信することを含む。
【００１８】
ある態様は、無線通信のための装置を提供する。この装置は、一般に、複数の識別子（ＩＤ）を備えるフレームを生成するように構成された回路を含み、ここにおいて、その複数のＩＤは、複数の装置に割当てられ、及びこの装置は、そのフレームをその複数の装置に送信するように構成された送信機を含む。
【００１９】
ある態様は、無線通信のための装置を提供する。この装置は、一般に、複数の識別子（ＩＤ）を備えるフレームを、装置において生成するための手段を含み、ここにおいて、その複数のＩＤは、複数の装置に割当てられ、及びこの装置は、そのフレームをその複数の装置に送信するための手段を含む。
【００２０】
ある態様は、無線通信のためのコンピュータ・プログラム製品を提供する。このコンピュータ・プログラム製品はコンピュータ可読媒体を含み、このコンピュータ可読媒体は、複数の識別子（ＩＤ）を備えるフレームを、装置において生成するために実行可能な命令を備え、ここにおいて、その複数のＩＤは複数の装置に割当てられ、及びそのフレームをその複数の装置に送信するために実行可能な命令を備える。
【００２１】
ある態様は、アクセス・ポイントを提供する。このアクセス・ポイントは、一般に、少なくとも１つのアンテナ、複数の識別子（ＩＤ）を備えるフレームを生成するように構成された回路を含み、ここにおいて、その複数のＩＤは、複数の無線ノードに割当てられ、及びこのアクセス・ポイントは、その少なくとも１つのアンテナを介してそのフレームをその複数の無線ノードに送信するように構成された送信機を含む。
【００２２】
本願開示の上記の特徴が詳細に認識され得るように、上記に簡単に要約された説明は、そのうちのいくつかが添付図面に示される複数の態様を参照して、より具体的になされることができる。しかしながら、これら添付図面は、本願開示のある典型的な態様のみを示すに過ぎず、それ故、その技術的範囲を制限するものと考えるべきではなく、説明に関しては他の同様に有効な態様が認められることを認識すべきである。
【図面の簡単な説明】
【００２３】
【図１】図１は、本願開示のある態様による無線通信ネットワークの概略図を示す。
【図２】図２は、本願開示のある態様による例示的なアクセス・ポイント及びユーザ端末のブロック図を示す。
【図３】図３は、本願開示のある態様による例示的な無線デバイスのブロック図を示す。
【図４】図４は、本願開示のある態様による例示的な混合モードのプリアンブルを示す。
【図５】図５は、本願開示のある態様によるプリアンブルの信号（ＳＩＧ）フィールドを生成するための例示的な動作を示す。
【図５Ａ】図５Ａは、図５に示された動作を行うことができる例示的なコンポーネントを示す。
【図６】図６は、本願開示のある態様による、ユーザ端末で実行され得るプリアンブルの受信に関連する例示的な動作を示す。
【図６Ａ】図６Ａは、図６に示された動作を行うことができる例示的なコンポーネントを示す。
【図７】図７は、本願開示のある態様による、複数のユーザに複数のユーザ識別子（ＩＤ）を割当てるための例示的な動作を示す。
【図７Ａ】図７Ａは、図７に示された動作を行うことができる例示的なコンポーネントを示す。
【図８】図８は、本願開示のある態様による、異なるユーザに割当てられる空間ストリームの数の例示的な組合せを示す。
【図９Ａ】図９Ａは、本願開示のある態様による、異なるリソース割当て及び対応するコードの例を示す。
【図９Ｂ】図９Ｂは、本願開示のある態様による、異なるリソース割当て及び対応するコードの例を示す。
【図９Ｃ】図９Ｃは、本願開示のある態様による、異なるリソース割当て及び対応するコードの例を示す。
【図９Ｄ】図９Ｄは、本願開示のある態様による、異なるリソース割当て及び対応するコードの例を示す。
【図９Ｅ】図９Ｅは、本願開示のある態様による、異なるリソース割当て及び対応するコードの例を示す。
【図９Ｆ】図９Ｆは、本願開示のある態様による、異なるリソース割当て及び対応するコードの例を示す。
【図１０】図１０は、本願開示のある態様によるリソース割当てコードの例示的な効率を示す。
【図１１】図１１は、本願開示のある態様による、リソース割当てを表す異なるコードの例示的な特徴を示す。
【発明を実施するための形態】
【００２４】
以下、添付図面を参照して本願開示の様々な態様をさらに詳細に説明する。しかしながら、この開示は、多数の異なる形態で具体化されることができ、本願開示の中で与えられる任意の特定の構造または機能に限定されるものと解釈されるべきではない。むしろ、これらの態様は、本願開示が徹底した完璧なものとなり、本願開示の技術的範囲を当業者に十分に伝達するように提供される。ここにおける教示に基づいて、当業者は、本願開示の任意の他の態様から独立してインプリメントされても、あるいは組合せてインプリメントされても、本願開示の技術的範囲がここに開示されている本願開示の任意の態様をカバーするものであることを認識すべきである。例えば、ここに記載された任意の数の態様を使用して、装置はインプリメントされることができ、方法は実行されることができる。さらに、本願開示の技術的範囲は、ここに記載された開示の種々の態様以外の、あるいはそれらに加えて、他の構造、機能性、または構造及び機能性を使用して実行されるこのような装置または方法をカバーするものである。ここに示されている開示の任意の態様は、請求項の１または複数の構成によって具体化され得ることを認識すべきである。
【００２５】
「典型的な」という用語は、「（一般的原則・事例などを示す具体的な）例、（性質や特徴を示す代表的な）例、または例証として役立つこと」を意味するためにここでは使用される。ここに「典型的な」として記載されている任意の態様は、必ずしも、他の態様より好ましいあるいは有利であると解釈されるべきではない。
【００２６】
ここにおいて特定の態様が開示されているが、これらの態様の多くの変形及び置換は本願開示の技術的範囲内に入る。好ましい態様のいくつかの利益及び利点が述べられているが、本願開示の技術的範囲は、特定の利益、用途、または目的に制限されるものではない。むしろ、本願開示の態様は、異なる無線テクノロジー、システム構成、ネットワーク、及び送信プロトコルに広く適用可能にものであり、それらのうちのいくつかは、図面及び以下の好ましい態様の説明の中で例示により示されている。詳細な説明及び図面は、本願開示の制限ではなく単なる例示であり、本願開示の技術的範囲は添付された特許請求の範囲の請求項及びその等価なものにより規定される。
【００２７】
無線通信システムの例
ここに記載された技術は、直交多重化スキームに基づく通信システムを含む種々の広帯域無線通信システムに使用されることができる。このような通信システムの例は、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システム等を含む。ＳＤＭＡシステムは、複数のユーザ端末に属するデータを同時に送信するために十分に異なる方向使用することができる。ＴＤＭＡシステムは、送信信号を異なる時間スロットに分割することにより複数のユーザ端末が同じ周波数チャネルを共用することを可能にすることができ、各時間スロットは異なるユーザ端末に割当てられる。ＯＦＤＭＡシステムは直交周波数分割多重化（ＯＦＤＭ）を使用し、それはシステム帯域幅全体を複数の直交サブキャリアに区分する変調技術である。これらのサブキャリアはまたトーン、ビン、等と呼ばれ得る。ＯＦＤＭに関しては、各サブキャリアはデータにより独立的に変調されることができる。ＳＣ−ＦＤＭＡシステムは、システム帯域幅にわたって分散されるサブキャリア上で送信するためにインタリーブされたＦＤＭＡ（ＩＦＤＭＡ）を使用し、隣接したサブキャリアの１つのブロック上で送信するために局所化された（localized）ＦＤＭＡ（ＬＦＤＭＡ）を使用し、あるいは隣接したサブキャリアの複数のブロック上で送信するためにエンハンスド（enhanced）ＦＤＭＡ（ＥＦＤＭＡ）を使用することができる。一般に、変調シンボルは周波数領域においてＯＦＤＭを用いて送られ、時間領域においてＳＣ−ＦＤＭＡを用いて送られる。
【００２８】
ここにおける教示は、種々の配線式または無線装置（例えば、ノード）に組入れられる（例えば、それら装置によってインプリメントされるか、あるいは行われる）ことができる。いくつかの態様において、ここにおける教示にしたがってインプリメントされたノードは、アクセス・ポイントまたはアクセス端末を備えることができる。
【００２９】
アクセス・ポイント（“ＡＰ”）は、ノードＢ、無線ネットワーク・コントローラ（“ＲＮＣ”）、ｅノードＢ、基地局コントローラ（“ＢＳＣ”）、ベース・トランシーバ・ステーション（“ＢＴＳ”）、基地局（“ＢＳ”）、トランシーバ・ファンクション（“ＩＦ”）、無線ルータ、無線トランシーバ、基本サービス・セット（“ＢＳＳ”）、拡張されたサービス・セット（“ＥＳＳ”）、無線基地局（“ＲＢＳ”）、あるいはある他の用語のものとして知られ、インプリメントされ、あるいは備えることができる。
【００３０】
アクセス端末（“ＡＴ”）は、アクセス端末、加入者局、加入者ユニット、移動局、遠隔局、遠隔端末、ユーザ端末、ユーザ・エージェント、ユーザ・デバイス、ユーザ機器、ユーザ・ステーション、あるいはある他の用語のものとして知られ、インプリメントされ、あるいは備えることができる。あるインプリメンテーションにおいては、アクセス端末は、携帯電話、コードレス電話、セッション開始プロトコル（“ＳＩＰ”）電話、無線ローカル・ループ（“ＷＬＬ”）ステーション、携帯情報端末（“ＰＤＡ”）、無線接続能力を有するハンドヘルド・デバイス、ステーション（“ＳＴＡ”）、あるいは無線モデムに接続された他のある適切な処理デバイスを備えることができる。したがって、ここに教示される１または複数の態様は、電話（例えば、携帯電話またはスマート・ホン）、コンピュータ（例えば、ラップトップ）、ポータブル通信デバイス、ポータブル計算デバイス（例えば、携帯情報端末）、エンタテインメント・デバイス（例えば、音楽またはビデオデバイス、あるいは衛星ラジオ）、全世界測位システム・デバイス、あるいは無線または配線式モデムを介して通信するように構成される任意の他の適切なデバイスに組み込まれることができる。ある態様においては、ノードは無線ノードである。このような無線ノードは、例えば、配線式または無線通信リンクを介してネットワーク（例えば、セルラー・ネットワークまたはインターネットのような広域ネットワーク）へのあるいはそのようなネットワークのための接続性を提供することができる。
【００３１】
図１は、複数のユーザ端末及び複数のアクセス・ポイントを備える多元接続多入力多出力（ＭＩＭＯ）システム１００を示す。簡明にするために、図１には、ただ１つのアクセス・ポイント１１０だけが示されている。アクセス・ポイントは一般に、複数のユーザ端末と通信する固定局であり、基地局あるいは他のある用語のものと呼ばれることができる。ユーザ端末は固定され、あるいは移動することができ、移動局、無線デバイスまたはある他の用語のものと呼ばれることができる。アクセス端末１１０は、ダウンリンク及びアップリンク上で任意の与えられた瞬間に１または複数のユーザ端末１２０と通信することができる。ダウンリンク（すなわち、順方向リンク）は、アクセス・ポイントから複数のユーザ端末への通信リンクであり、アップリンク（すなわち、逆方向リンク）は、複数のユーザ端末からアクセス・ポイントへの通信リンクである。ユーザ端末はまた別のユーザ端末とピア・ツゥ・ピアで通信することができる。システムコントローラ１３０は複数のアクセス・ポイントに結合し、それらに調整および制御を提供する。
【００３２】
下記の開示の複数の部分には、ある態様に関して、空間分割多元接続（ＳＤＭＡ）を介して通信することができる複数のユーザ端末１２０が記述されるが、複数のユーザ端末１２０はまたＳＤＭＡをサポートしないある複数のユーザ端末を含むことができる。したがって、このような態様に関しては、ＡＰ１１０は、ＳＤＭＡ及び非ＳＤＭＡの両ユーザ端末と通信するように構成されることができる。このアプローチは、古いバージョンのユーザ端末（“レガシー”ステーション）が事業において有効に利用された状態であることを都合よく可能にし、それらの耐用年数を延ばし、その一方で、新規のＳＤＭＡユーザ端末が適切と考えられると導入されることを可能にすることができる。
【００３３】
システム１００は、ダウンリンク及びアップリンク上でのデータ伝送のために複数の送信アンテナ及び複数の受信アンテナを使用する。アクセス・ポイント１１０はＮａｐのアンテナを備え、ダウンリンク送信に関しては多入力（ＭＩ）を表し、アップリンク送信に関しては多出力（ＭＯ）を表す。Ｋの選択されたユーザ端末１２０のセットは、ダウンリンク送信に関しては多出力を集合的に表し、アップリンク送信に関しては多入力を表す。純ＳＤＭＡでは、Ｋのユーザ端末のデータシンボルストリームがある手段により符号、周波数または時間で多重化されない場合、Ｎａｐ≧Ｋ≧１であることが望ましい。データシンボルストリームがＴＤＭＡ技術、ＣＤＭＡによる異なる符号チャネル、ＯＦＤＭによるサブバンドのばらばらのセット等を使用して多重化されることができる場合、ＫはＮａｐより大きいことができる。各々の選択されたユーザ端末はアクセス・ポイントへユーザに特有のデータを送信し、及び／またはアクセス・ポイントからユーザに特有のデータを受信する。一般に、各々の選択されたユーザ端末は１または複数のアンテナを備えることができる（すなわち、Ｎｕｔ≧１）。Ｋの選択されたユーザ端末は、同数のまたは異なる数のアンテナを有することができる。
【００３４】
ＳＤＭＡシステム１００は時分割デュプレックス（ＴＤＤ）システムまたは周波数分割デュプレックス（ＦＤＤ）システムであることができる。ＴＤＤシステムでは、ダウンリンク及びアップリンクは同じ周波数帯域を共用する。ＦＤＤシステムでは、ダウンリンク及びアップリンクは異なる周波数帯域を使用する。ＭＩＭＯシステム１００はまた送信のために単一のキャリアまたは複数のキャリアを使用することができる。各ユーザ端末は、（例えば、費用を低く維持するために）単一のアンテナを備えることができ、あるいは（例えば、追加の費用がサポートされることができる場合は）複数のアンテナを備えることができる。ユーザ端末１２０が送信／受信を異なる時間スロットに分割することによって同じ周波数チャネルを共用する場合、システム１００はまたＴＤＭＡシステムであることができ、各時間スロットは異なるユーザ端末１２０に割当てられる。
【００３５】
図２はＭＩＭＯシステム１００におけるアクセス・ポイント１１０並びに２つのユーザ端末１２０ｍ及び１２０ｘのブロック図を示す。アクセス・ポイント１１０はＮｔのアンテナ２２４ａ乃至２２４ｔを備える。ユーザ端末１２０ｍはＮｕｔ,ｍのアンテナ２５２ｍａ乃至２５２ｍｕを備え、ユーザ端末１２０ｘはＮｕｔ,ｘのアンテナ２５２ｘａ乃至２５２ｘｕを備える。アクセス・ポイント１１０はダウンリンクに関しては送信エンティティであり、アップリンクに関しては受信エンティティである。各ユーザ端末１２０はアップリンクに関しては送信エンティティであり、ダウンリンクに関しては受信エンティティである。ここで使用されるように、「送信エンティティ」は、無線チャネルを介してデータを送信することができる独立的に動作される装置またはデバイスであり、「受信エンティティ」は無線チャネルを介してデータを受信することができる独立的に動作される装置またはデバイスである。以下の説明において、下付き文字「ｄｎ」はダウンリンクを示し、上付き文字「ｕｐ」はアップリンクを示し、Ｎｕｐのユーザ端末はアップリンク上での同時送信のために選択され、Ｎｄｎのユーザ端末はダウンリンク上での同時送信のために選択され、ＮｕｐはＮｄｎに等しいことも、あるいは等しくないこともできる。また、ＮｕｐとＮｄｎは静的値であることができ、あるいは各スケジューリング・インターバルに関して変化することができる。ビーム操縦または他のある空間処理技術は、アクセス・ポイント及びユーザ端末で使用されることができる。
【００３６】
アップリンク上では、アップリンク送信のために選択された各ユーザ端末１２０において、ＴＸデータ・プロセッサ２８８はデータ・ソース２８６からトラヒック・データを受信し、コントローラ２８０から制御データを受信する。ＴＸデータ・プロセッサ２８８は、そのユーザ端末に関して選択されたレートに関連した符号化及び変調スキームに基づいて、そのユーザ端末に関するトラヒック・データを処理し（例えば、符号化し、インタリーブし、変調し）、データシンボルストリームを提供する。ＴＸ空間プロセッサ２９０はデータシンボルストリームに関する空間処理を行い、Ｎｕｔ，ｍのアンテナにＮｕｔ，ｍのシンボルストリームを提供する。各送信ユニット（ＴＭＴＲ）２５４は各シンボルストリームを受信し、処理して（例えば、アナログに変換し、増幅し、ろ波し、及び周波数アップコンバートして）、アップリンク信号を生成する。Ｎｕｔ，ｍの送信ユニット２５４は、Ｎｕｔ，ｍのアンテナ２５２からアクセス・ポイントへの送信のために、Ｎｕｔ，ｍのアップリンク信号を提供する。
【００３７】
Ｎｕｐのユーザ端末はアップリンク上での同時送信のためにスケジュールされることができる。これらのユーザ端末のそれぞれは、そのデータシンボルストリームに関して空間処理を行い、アップリンク上の送信シンボルストリームのそのセットをアクセス・ポイントへ送信する。
【００３８】
アクセス・ポイント１１０において、Ｎａｐのアンテナ２２４ａ乃至２２４ａｐは、アップリンク上で送信している全てのＮｕｐのユーザ端末からアップリンク信号を受信する。各アンテナ２２４は受信された信号を欠く受信ユニット（ＲＣＶＲ）２２２に提供する。各受信ユニット２２２は、送信ユニット２５４により行われるものに相補的な処理を行い、受信されたシンボルストリームを提供する。ＲＸ空間プロセッサ２４０は、Ｎａｐの受信ユニット２２２からのＮａｐの受信されたシンボルストリームに関して受信機空間処理を行い、Ｎｕｐの復元されたアップリンク・データシンボルストリームを提供する。受信機空間処理は、チャネル相関行列反転（ＣＣＭＩ）、最小２乗平均誤差（ＭＭＳＥ）、ソフト干渉除去（ＳＩＣ）、あるいは他のある技術にしたがって行われる。各復元されたアップリンク・データシンボルストリームは、各ユーザ端末により送信されたデータシンボルストリームの推定である。ＲＸデータ・プロセッサ２４２は、復号されたデータを得るためにそのストリームに使用されたレートにしたがって各復元されたアップリンク・データシンボルストリームを処理する（例えば、復調し、デインタリーブし（deinterleaves）、復号する）。各ユーザ端末に関して復号されたデータは、記憶のためにデータ・シンク２４４へ、及び／またはさらに処理するためにコントローラ２３０へ、提供されることができる。
【００３９】
ダウンリンク上では、アクセス・ポイント１１０において、ＴＸデータ・プロセッサ２１０は、ダウンリンク送信のためにスケジュールされたＮｄｎのユーザ端末に関してデータ・ソース２０８からトラヒック・データを受信し、コントローラ２３０から制御データを受信し、ことによると、スケジューラ２３４から他のデータを受信する。種々のタイプのデータは異なるトランスポート・チャネル上で送られることができる。ＴＸデータ・プロセッサ２１０は、各ユーザ端末に関するトラヒック・データを、そのユーザ端末に関して選択されたレートに基づいて処理する（例えば、符号化し、インタリーブし、変調する）。ＴＸデータ・プロセッサ２１０は、Ｎｄｎのダウンリンク・データストリームをＮｄｎのユーザ端末に提供する。ＴＸ空間プロセッサ２２０は、Ｎｄｎのダウンリンク・データストリームに関して空間処理（本願開示に記載されているプレコーディングまたはビームフォーミングのような）を行い、Ｎａｐの送信シンボルストリームをＮａｐのアンテナに提供する。各送信ユニット２２２は各送信シンボルストリームを受信し、処理して、ダウンリンク信号を生成する。Ｎａｐの送信ユニット２２２は、Ｎａｐのアンテナ２２４から複数のユーザ端末への送信のためにＮａｐのダウンリンク信号を提供する。
【００４０】
各ユーザ端末１２０において、Ｎｕｔ，ｍのアンテナ２５２はアクセス・ポイント１１０からＮａｐのダウンリンク信号を受信する。各受信ユニット２５４は関連したアンテナ２５２からの受信された信号を処理し、受信されたシンボルストリームを提供する。ＲＸ空間プロセッサ２６０は、Ｎｕｔ，ｍの受信ユニット２５４からのＮｕｔ，ｍの受信されたシンボルストリームに関する受信機空間処理を行い、復元されたダウンリンク・データシンボルストリームをそのユーザ端末に提供する。この受信機空間処理は、ＣＣＭＩ、ＭＭＳＥまたは他のある技術にしたがって行われる。ＲＸデータ・プロセッサ２７０は、そのユーザ端末に関する復号されたデータを得るためにその復元されたダウンリンク・データシンボルストリームを処理する（例えば、復調し、デインタリーブし、復号する）。
【００４１】
各ユーザ端末１２０において、チャネル・エスティメータ２７８はダウンリンク・チャネル応答を推定し、ダウンリンク・チャネル推定を提供し、それらはチャネル・ゲイン推定、ＳＮＲ推定、雑音分散等を含むことができる。同様に、チャネル・エスティメータ２２８はアップリンク・チャネル応答を推定し、アップリンク・チャネル推定を提供する。各ユーザ端末に関するコントローラ２８０は、典型的に、ユーザ端末に関する空間フィルタ行列を、そのユーザ端末に関するダウンリンク・チャネル応答行列Ｈｄｎ,ｍに基づいて得る。コントローラ２３０はアクセス・ポイントに関する空間フィルタ行列を、実効アップリンク・チャネル応答行列Ｈｕｐ,ｅｆｆに基づいて得る。各ユーザ端末のコントローラ２８０は、フィードバック情報（例えば、ダウンリンク及び／またはアップリンクの固有ベクトル、固有値、ＳＮＲ推定等）をアクセス・ポイントへ送ることができる。コントローラ２３０及び２８０はまた、それぞれ、アクセス・ポイント１１０及びユーザ端末１２０における種々の処理ユニットの動作を制御する。
【００４２】
図３は、無線通信システム１００内で使用されることができる無線デバイス３０２において使用されることのできる種々のコンポーネントを示す。無線デバイス３０２は、ここに記載されている種々の方法をインプリメントするように構成されることができるデバイスの一例である。無線デバイス３０２は基地局１０４またはユーザ端末１０６であることができる。
【００４３】
無線デバイス３０２は、無線デバイス３０２の動作を制御するプロセッサ３０４を含むことができる。プロセッサ３０４はまた中央処理装置（ＣＰＵ）と呼ばれることができる。メモリ３０６は、読取り専用メモリ（ＲＯＭ）及びランダム・アクセス・メモリ（ＲＡＭ）の両者を含むことができ、命令及びデータをプロセッサ３０４に提供する。メモリ３０６の一部分はまた、不揮発性ランダム・アクセス・メモリ（ＮＶＲＡＭ）を含むことができる。プロセッサ３０４は、典型的に、メモリ３０６内に記憶されたプログラム命令に基づいて論理及び算術的演算を行う。メモリ３０６内の命令は、ここに記載されている方法をインプリメントするために実行可能であることができる。
【００４４】
無線デバイス３０２はまた、無線デバイス３０２と遠隔位置との間におけるデータの送信および受信を可能にするために送信機３１０及び受信機３１２を含むことのできるハウジング３０８を含むことができる。送信機３１０及び受信機３１２は結合され、トランシーバ３１４にされることができる。単一または複数の送信アンテナ３１６はハウジング３０８に接続され、トランシーバ３１４に電気的に結合されることができる。無線デバイス３０２はまた（示されていない）複数の送信機、複数の受信機、及び複数のトランシーバを含むことができる。
【００４５】
無線デバイス３０２はまた、トランシーバ３１４によって受信された信号のレベルを検出し、定量化するために使用されることのできる信号検出器３１８を含むことができる。信号検出器３１８はこのような信号を、合計エネルギ、シンボル当りのサブキャリア当りのエネルギ、電力スペクトル密度及び他の信号として検出することができる。無線デバイス３０２はまた、信号の処理に使用するためにデジタル信号プロセッサ（ＤＳＰ）３２０を含むことができる。
【００４６】
無線デバイス３０２の種々のコンポーネントは、データバスに加えて電力バス、制御信号バス、及びステータス信号バスを含むことができるバスシステム３２２によって一緒に結合されることができる。
【００４７】
ロバスト干渉除去のための高いスループット・プリアンブルの設計
本願開示のある態様は、プリアンブルの非常に高いスループット信号（Very High Throughput Signal）（ＶＨＴ−ＳＩＧ）フィールドを設計することをサポートする。プリアンブルは、例えば、図１に示される無線ネットワーク１００中においてアクセス・ポイント（ＡＰ）１１０から複数のユーザ１２０送信されることができる。ＶＨＴ−ＳＩＧフィールドの提案される設計は、ロバスト干渉除去を行うために、複数のユーザがそれ自身の１または複数の空間ストリームを、他の複数のユーザに専用の空間ストリームと区別することを可能にすることができる。
【００４８】
図４は、本願開示のある態様による混合モードのプリアンブル４００の一例を示す。プリアンブル４００は、オムニレガシー部分４０２及びプレコードされた８０２．１１ａｃＶＨＴ部分４１４を備えることができる。レガシー部分４０２は、レガシー・ショート・トレーニング・フィールド（Legacy Short Training Field）（Ｌ−ＳＴＦ）４０４、レガシー・ロング・トレーニング・フィールド（Legacy Long Training Field）４０６、レガシー信号（Legacy Signal）（Ｌ−ＳＩＧ）フィールド４０８、及び非常に高いスループット信号Ａ（ＶＨＴ−ＳＩＧＡ）フィールドのための２つのＯＦＤＭシンボル４１０−４１２を備えることができる。ＶＨＴ−ＳＩＧＡフィールド４１０−４１２は全方向に（omni-directionally）送信されることができる。プレコードされた８０２．１１ａｃ ＶＨＴ部分４１４は、非常に高いスループット・ショート・トレーニング・フィールド（ＶＨＴ−ＳＴＦ）４１６、非常に高いスループット・ロング・トレーニング・フィールド１（ＶＨＴ−ＬＴＦ１）４１８、非常に高いスループット・ロング・トレーニング・複数フィールド（ＶＨＴ−ＬＴＦｓ）４２０、非常に高いスループット信号Ｂ（ＶＨＴ−ＳＩＧＢ）フィールド４２２、及びデータ・パケット４２４を備えることができる。ＶＨＴ−ＳＩＧＢフィールドは１つのＯＦＤＭシンボルを備えることができ、プレコードされて／ビームフォーミングされて送信されることができる。
【００４９】
ロバストなマルチ・ユーザ（ＭＵ）ＭＩＭＯ受信には、ＡＰが全てのＶＨＴ−ＬＴＦｓ４２０を全てのサポートされたユーザに送信することが要求され得る。ＶＨＴ−ＬＴＦｓ４２０は、各ユーザが全てのＡＰアンテナからそのユーザアンテナまでのＭＩＭＯチャネルを推定することを可能にすることができる。ユーザは推定されたチャネルを使用して、他の複数のユーザに対応するＭＵ−ＭＩＭＯストリームからの実効干渉ヌリングを行うことができる。ロバスト干渉除去を行うために、各クライアントは、いずれの空間ストリームがそのクライアントに属するか、及びいずれの空間ストリームが他の複数のユーザに属するかを知ることを要求されることができる。
【００５０】
１つの可能な解決策は、各ユーザ・ステーション（ＳＴＡ）に関するＶＨＴ−ＳＩＧＡシンボル４１０−４１２内の媒体アクセス制御識別（ＭＡＣＩＤ）及び空間ストリーム識別（ＩＤ）を指定することである。しかしながら、要求されるビットの数は、かなりの数になり得る。例えば、（８つの送信ＡＰアンテナの典型的な場合として）３バイトの空間ストリームＩＤ及び６バイトのＭＡＣＩＤでは、これは結果的にクライアント当り５１ビットになることができ、それは８人のクライアントに関してほぼ４００ビットとなり得る。ＶＨＴ−ＳＩＧＡフィールド４１０−４１２の２つのＯＦＤＭシンボル中のこの量のビットを信号で送ることは不可能である。本願開示のある態様は、ＶＨＴ−ＳＩＧＡフィールド内の実質的により小さい数のビットを使用して、各ユーザの空間ストリーム・オフセットに関する情報を効率的に信号で送るための方法をサポートする。
【００５１】
本願開示の態様において、ＡＰはネットワーク内の各８０２．１１ａｃユーザにユーザＩＤ＝（１，ＳＴＡＩＤ ｍｏｄ Ｕ）を提供することができ、ここでＵは、（例えば、ＡＰアンテナの数に等しいことができる）ダウンリンクＳＤＭＡトランザクション当りのユーザの最大数を表す。例えば、Ｕの値は８に等しいことができる。ＳＴＡＩＤは明示的な管理フレームを使用して、あるいはアソシエーション時間中に、提供されることができる。重く負荷をかけられたネットワークにおいて、１より多くのＳＴＡは同じＳＴＡＩＤを有することができることに注意すべきである。また、各ＳＴＡは、例えば、ビデオストリーミング、ベスト・エフォート・データ等の、異なるアプリケーション・クラス及びプロファイルに関して複数のＳＴＡＩＤを有することができる。
【００５２】
したがって、ＡＰは、同じ期間において同一のＳＴＡＩＤを用いて２つのＳＴＡをスケジュールすることができることはあり得ない。また、ＡＰは同じ時間期間において異なるアプリケーション・クラス及びプロファイルからの２つのユーザをスケジュールすることができることはあり得ない。家庭内のＳＴＡの数は典型的に８より大きくないので、例えば、ホーム・エンタテインメント等の、ほとんどの用途に関して、これは性能を劣化させることはあり得ないことに注意すべきである。
【００５３】
ＶＨＴ−ＳＩＧＡフィールド４１０−４１２において、ＡＰは（例えば、ＳＴＡＩＤ値にしたがって）特定の順序で各ユーザの空間ストリーム・オフセットを信号で送ることができる。例えば、ＶＨＴ−ＳＩＧＡ内のシーケンス（３，２，１）は、ユーザＩＤ１が最初の３つの空間ストリームを獲得することができ、ユーザＩＤ２が次の２つの空間ストリームを獲得することができ、ユーザＩＤ３がその次の１つの空間ストリームを獲得することができることを示すことができる。したがって、８つのサポートされたユーザ及び８つまでの空間ストリーム（すなわち、３ビットの空間ストリーム・インデックス）の典型的な場合において、各ユーザに空間ストリーム・オフセットを信号で送るためにＶＨＴ−ＳＩＧＡフィールドの２４ビットが要求され得る。これは、以前報告されたほぼ４００ビットよりかなり小さい。
【００５４】
同じＳＴＡＩＤを用いる２つのユーザはスケジュールされることができないため、提案されたアプローチはスケジューラに制限を課し得る。しかしながら、ホーム・エンタテインメント等の、ほとんどの用途に関して、これは許容可能である。
【００５５】
本願開示の別の態様において、全てのユーザに関する空間ストリーム・オフセットを示すＶＨＴ−ＳＩＧＡフィールドのビットの数は、さらに減少されることができる。これを達成するために、空間ストリーム割当てへのある制限が適用されることができる（すなわち、ある圧縮が使用されることができる）。８つのユーザ及び８つまでの空間ストリームの典型的な場合（すなわち、ＡＰ送信アンテナの数が８に等しいことができる）において、ＶＨＴ−ＳＩＧＡフィールド内のビットのシーケンス“００００”は、例えば、各ユーザが１つの食え刊ストリームを獲得することができることを示すことができる。さらに、ＶＨＴ−ＳＩＧＡフィールド内のビットのシーケンス“０００１”は、例えば、４つのユーザがそれぞれ２つの空間ストリームを獲得することができることを示すことができ、ＶＨＴ−ＳＩＧＡフィールド内のビットのシーケンス“００１０”は、例えば、３つのユーザがそれぞれ２つの空間ストリームを獲得することができることを示すことができ、ＶＨＴ−ＳＩＧＡフィールド内のビットのシーケンス“００１１”は、例えば、４つのユーザがそれぞれ２つの空間ストリームを獲得することができることを示すことができ、ＶＨＴ−ＳＩＧＡフィールド内のビットのシーケンス“０１００”は、例えば、２つのユーザがそれぞれ３つの空間ストリームを獲得することができることを示すことができ、ＶＨＴ−ＳＩＧＡフィールド内のビットのシーケンス“０１０１”は、例えば、２つのユーザがそれぞれ４つの空間ストリームを獲得することができることを示すことができる等である。
【００５６】
このアプローチを適用することにより、全てのユーザに関する空間ストリーム・オフセットを示すために使用されるＶＨＴ−ＳＩＧＡフィールドのビットの合計数はかなり減少されることができる。８つのユーザ及び８つまでの空間ストリームの典型的な場合、ＶＨＴ−ＳＩＧＡフィールドでは合計４ビットで十分であることができる。他方において、ＡＰスケジューラへのある追加の制限が課せられることがある。しかしながら、これが性能劣化をもたらすことはあり得ない。
【００５７】
図５は、本開示のある態様にしたがってプリアンブルのＳＩＧフィールドを生成する例示的な動作５００を示す。５０２において、装置（例えば、アセス・ポイント）は、ＳＩＧフィールドを備えるプリアンブルを生成することができ、ここにおいてＳＩＧフィールドは、複数の他の装置（例えば、ユーザ端末）に関する空間ストリームの割当て及び数を、各装置を明示的に識別せずに示す複数のビットを備える。５０４において、装置はプリアンブルをそれら他の装置に送信することができる。
【００５８】
図６は、本開示のある態様にしたがってユーザ端末において実行され得るプリアンブルの受信に関連した例示的な動作６００を示す。６０２において、装置（例えば、ユーザ端末）は、その装置（例えば、アセス・ポイント）及び他の装置（例えば、他のユーザ端末）に送信されたプリアンブルを受信することができ、前記プリアンブルはＳＩＧフィールドを備え、ここにおいてＳＩＧフィールドは、複数の装置に関する空間ストリームの割当て及び数を、各装置を明示的に識別せずに示す複数のビットを備える。６０４において、その装置は、いずれの空間ストリームが装置に割当てられるかを、複数のビットに基づいて決定することができる。その装置はこの装置に割当てられた空間ストリーム上のパケットを受信し、その受信されたパケットを復号し、そのパケットに関連したＭＡＣアドレスがその装置に関連したＭＡＣアドレスと異なる場合は、その復号されたパケットを廃棄することができる。
【００５９】
図７は本開示のある態様にしたがって複数のユーザ識別子（ＩＤ）を複数のユーザに割当てるための例示的な動作７００を示す。７０２において、装置（たとえば、アクセス・ポイント）は、複数の識別子（ＩＤ）を備える管理フレームを生成することができ、ここにおいて、その複数のＩＤは複数の他の装置（すなわち、無線ノード）に割当てられることができる。７０４において、装置は管理フレームを他の装置に送信することができる。本開示のある態様は、アソシエーション手続きの間に複数の装置に複数のＩＤを割当てることをサポートする。
【００６０】
複数のＩＤは各アクセス・クラスに関する識別子を備えることができる。複数の装置のうちの１つに割当てられたＩＤのそれぞれは規定された数の固有ＩＤから選択されることができ、ここで、固有ＩＤの規定された数は、装置から発生される単一のダウンリンクＳＤＭＡ送信により同時にサポートされる複数の装置の最大数に対応し得る。さらに、管理フレームは、異なる複数のＩＤをその複数の装置に再度割当てるために再送信されることができる。異なる複数のＩＤはグループＩＤにより指定されることができる。
【００６１】
複数のユーザＳＴＡに割当てられる複数のＩＤは、グループＩＤにおいて信号で送られることができる。複数のグループＩＤはアクセス・ポイントにより形成されることができ管理フレーム内において送信されることができる。このフレームは、複数のグループＩＤ及びそれらの対応するアソシエーション識別子（ＡＩＤ）をリストすることができる。ＡＩＤフィールドは、あらゆる全てのユーザがアソシエーション応答フレームで得ることができる１６ビットを備えることができる。ＡＩＤは１から２００７までのＩＤ値を備えることができ、それ故１６からの１１ビットだけが効果的に使用されることができる。
【００６２】
本願開示の１態様において、ユーザＳＴＡ当りの空間ストリームの数の全ての可能な組合せは、プリアンブルのＶＨＴ―ＳＩＧＡフィールドにおいて信号で送られることができる。アクセス・ポイントが同時にサポートすることができるストリームの最大数を空間ストリームの合計数が超えるこれらの場合は除外されることができ、信号で送られないことができる。
【００６３】
アクセス・ポイントが合計８つまでの空間ストリーム及び４つまでの同時ユーザをサポートすることができる場合、典型的な場合が考慮されることができる。その後、ユーザ当りのストリームの可能な数の組合せは、例えば、｛８，０，０，０｝,｛０，８，０，０｝,｛４，２，０，２｝,｛１，０，０，１｝,｛６，２，０,０｝,｛２，６，０，０｝等であることができる。この例に関する有効な組合せの合計数は４９５である。したがって、ユーザ当りの空間ストリームの全ての可能な数の組合せを信号で送るために、ＶＨＴ―ＳＩＧＡフィールド内の少なくとも９ビットが要求され得る。同時にサポートされるユーザの最大数が６に増加される場合、組合せの数は３００３に増加し、それは、ＶＨＴ―ＳＩＧＡフィールド内の１２の信号ビットが要求されることができることを意味する。８までの同時にサポートされるユーザに関して、組合せの数は１２８７０になり、それは１４の信号ビットが要求されることができることを意味する。
【００６４】
本願開示の１つの態様において、グループＩＤは、ユーザ当りの空間ストリームの割当てられた数が常に小さい順ではない（non-increasing）順序となり得るように配列されることができる。その代わりに、グループＩＤは、ユーザ当りの空間ストリームの割当てられた数が常に大きい順ではない（non-decreasing）順序となり得るように配列されることができる。グループＩＤは、ユーザ当りの空間ストリームの数の順序が変わるときに変更されることができる。グループＩＤは、ユーザの異なったグループ化がさらに良好なスループット結果をもたらすようにアクセス・ポイントと複数のユーザＳＴＡとの間のＭＩＭＯチャネルが著しく変更された場合に変更されることができる。グループＩＤの変化率は、クライアント当りの空間ストリームの数が変化する率とほぼ同じであることができる。
【００６５】
アクセス・ポイントが８つまでの空間ストリームを用いて４つまでのユーザを同時にサポートすることができる典型的な場合を再度考えることができる。ユーザ当りの空間ストリームの可能な数の組合せは、例えば｛８，０，０，０｝，｛４，２，０，０｝，｛１，０，０，０｝，｛２，２，２，１｝等であることができる。しかしながら、｛０，８，０，０｝または｛４，０，０，１｝のような組合せは、グループＩＤによって許容されることができない。それ故、有効な組合せの合計数は５３に減少され得る。そして、ユーザ当りの空間ストリームの全ての可能な数の組合せを信号で送るのに、ＶＨＴ―ＳＩＧＡフィールドの６ビットで十分であることができる。
【００６６】
例えば、ユーザの数が８に増加した場合、組合せの数は６７に増加することができる。これらの組合せは図８に示されている。しかしながら、これらの組合せは信号で別々に送られ、マルチ・ユーザＭＩＭＯ信号（signaling）の中に含まれないことができるため、割当てられた１または複数の空間ストリームを用いる単一のユーザだけを備える図８からの９つの組合せ全てが除外されることができる。したがって、同時にサポートされる８つのユーザの場合における残りの５８の可能な組合せを表すのに、依然として、ＶＨＴ―ＳＩＧＡフィールドの６の信号ビットで十分である。したがって、提案されたアプローチを適用することにより、ダウンリンク・マルチ・ユーザＭＩＭＯシステム中において同時にサポートされるユーザＳＴＡの数をかなり増加させ、その一方でＶＨＴ―ＳＩＧＡフィールド内の信号（signaling）ビットを増加させないことが実行可能であり得る。
【００６７】
リソース割当てコードのための符号化及び復号方法
無線ＳＤＭＡシステムにおけるＮのユーザ局へのＳの空間ストリームの全ての可能な割当てを符号化するために、本願開示においては、異なる方法が提案される。一例として、１０のタプル（ｓ１，ｓ２，ｓ３）のセットとしてＮ＝３のユーザへのＳ＝２の空間ストリームの１０の可能な割当てが存在することかでき、ここではｓｉはユーザｉに割当てられるストリームのストリームの数を示す。タプル要素の（elements）の合計はＳ以下でなければならず、また、要素は負でない整数でなければならない。したがって、可能な割当てのリストは、（０，０，０）、（０，０，１）、（０，０，２）、（０，１，０）、（０，１，１）、（０，２，０）、（１，０，０）、（１，０，１）、（１，１，０）及び（２，０，０）である。
【００６８】
符号化は、空間ストリームの特定の割当ての数値的な表現を意味する。符号化は、選択された割当てを通信するために使用されることができる。例えば、ＳＤＭＡシステム１００におけるアクセス・ポイントは、その関連する複数の局が、アクセス・ポイントが送信する後続のデータ・パケットの中のその割当てられたストリームを正しく抽出して復号するためにそれらの受信機を準備することができるように、それら複数の局に空間ストリームがどのようにして割当てられるかを知らせることを望むことがある。上述したように、この情報は、データ・パケットの前につけられるプリアンブルの中に埋め込まれることができる。
【００６９】
第一の要求は、リソース割当ての符号化が効率的であるものであること、すなわち、可能な最小量のビットを使用することであることができる。この例の状況において、これは最小量の信号オーバーヘッドをもたらすことができる。オーバーヘッドは、それが実際のペイロード・トラヒックから容量を取り去るため、小さく維持されることが必要なことがある。
【００７０】
第二の要求は、符号化及び復号の両手続きが簡単なことであることができる。これは、より小型のより簡単な送信及び受信回路、及び／または埋込み型ソフトウェアに帰結することができる。
【００７１】
第三の要求は、復号が、人間により即座に理解できるために十分に簡単であることができる。これは、ＳＤＭＡトラヒックを監視し、解釈することに、並びにシステムが正しく機能しない場合にデバッグすることに有用であり得る。
【００７２】
上述されたリソース割当てのリストは、有効な符号化自身を表す。全ての可能な符号化を記述するために、セット｛０，１，２｝からの３つの１０進数が必要とされ得る。しかしながら、２進符号化スキームを使用するためにある制限を適用することができ、それはデジタル通信システムという状況ではより実用的である。リストされたリソース割当ては、３つの２ビット数として符号化されることができることが認められる。したがって、上記にリストされた１０の全てのリソース割当てを符号化するために合計６ビットが要求され得る。
【００７３】
一般に、全ての割当てを記述するために、
【数１】
0005973014.tif 000002
【００７４】
が必要とされ得る。Ｎ＝３、Ｓ＝２の例では、提案された符号化は十分効率的ではないことがあり得る。全ての１０の可能な割当てを符号化するためのビットの最小数は、
【数２】
0005973014.tif 000003
【００７５】
であることができる。したがって、この方法の効率は４／６＝６７％に等しい。
【００７６】
非効率の理由は、ある複数のコードワードが違法割当てを表すことができるからである。例えば、Ｓ＝２であるため、３つの空間ストリームを単一のユーザに割当てることはできない。したがって、コードワード１１ｘｘｘｘ、ｘｘ１１ｘｘ及びｘｘｘｘ１１は使用されることができない（「ｘ」としてラベル付けされたビットは０または１のいずれかであることができる）。さらに、この特定の符号化は、利用可能なリソースの和がＳより小さいか、等しいことを考慮しない。この状況が満足されない全てのコードワードは、未使用のままとなる。
【００７７】
他方において、この符号化アプローチは、単に割当てタプルの２進表現の連結（concatenation）を備えるだけであることができるため、それは実施が簡単であることができる。復号の逆のプロセスもまた自明であることができる。さらに、コードは人間によってほとんど直接読みやすいものであることができる。
【００７８】
本願開示の別の態様において、コードはその符号化手続きにより規定されることができる。割当てタプルの中の各要素に関して、出力ｓｉのビットは“１”に設定されることができ、１の出力ビットは“０”に設定されることかできる。そのビット値“１”及び“０”は順番を逆にして使用されることができるが、しかし“１”の値が空間ストリームを表すことができ、“０”の値が連続するユーザ間の割当てを表すためにセパレータ・シンボルとして使用されることのできる取り決めが採用されることができる。Ｎ＝３、Ｓ＝２である例では、可能なリソース割当ては図９Ａに示されるように符号化されることができる。
【００７９】
一般に、Ｎのユーザが存在し得るため、コードワードはＮのゼロビットを備えることができる。Ｓまでの空間ストリームが割当てられることができるため、コードワードはＳまでの１ビットを備えることができる。したがって、コードは多くてＮ＋Ｓビット長、及び少なくともＮビット長であることができる。提案されたコードは、可変長を有することができることが認められる。
【００８０】
図９Ａからの典型的なリスト及び符号化方法の両者から明らかなように、このコードの最後のビットは常にゼロであることができる。したがって、このビットはいずれの情報も伝送することはあり得ず、省略されることができる。これは最大のコード長をＮ＋Ｓ−１ビットに減少させることができる。Ｎ＝３、Ｓ＝２の例においては、コードワードのリストは図９Ｂに示されるようなものとなることができる。
【００８１】
復号器がＳの値を知っている場合、コードは、全ての利用可能な空間ストリームが割当てられた後に、すなわち、Ｓの１ビットを使い切ったときに、そのコードを終了させることによりさらに短くされることができる。したがって、Ｎ＝３、Ｓ＝２の例に関しては、コードワードのリストは図９Ｃに示されるようなものとなることができる。これを適用することにより、平均コードワード長は減少されることはできるが、しかし、最大のコードワード長は同じままであることができる。
【００８２】
（一般的に事実であるように）固定された数の信号ビットが利用可能であるとき、オリジナルの（短くされていない）コードは、図９Ｄに示される望まれる長さに拡張されることができる。コード拡張のために１を使用することは可能であり得ない。何故ならそれは、結果的に曖昧なコードワードに帰着するからである。
【００８３】
例えば、図９Ｄのリストの中の２番目と３番目のコードは共に｛０ ０ １ １｝に等しくなる。これは、ゼロビットがユーザ割当て間のセパレータとして使用されることができるためであり、追加のセパレータを含めることは無害である。他方において、１は実際のリソースを符号化することができ、１ビットを追加することは最後のユーザの割当てを変えることができる。
【００８４】
Ｎ＝３，Ｓ＝２の例においては、コード長Ｎ＋Ｓ−１＝４は、４ビットの理論的最小に偶然に等しい。一般に、これは事実ではない。これを証明するために、最初に、一般的な場合に必要とされ得るビットの要求される最小量が計算される。それはオリジナルの短くされていない可変長コードと考えられることができるが、しかしそのコードは、図９Ｅに示されるように、１を用いてＮ＋Ｓビットの長さにこれから拡張されることができる。
【００８５】
あらゆる全てのコードワードは、ちょうどＳの１ビットを備えることができる。これは、付加された「１」が割当てられていないリソースを表すことができ、また、割当てられたリソースと割当てられていないリソースの和がちょうどＳに等しいことができるからである。コード中のゼロの数はＮに等しいことができる。したがって、可能なコードワードの数は、
【数３】
0005973014.tif 000004
【００８６】
に等しいことができる。
【００８７】
全ての組合せを符号化するために、
【数４】
0005973014.tif 000005
【００８８】
が必要とされ得る。Ｎ＝３及びＳ＝２の例においては、５！／３！２！＝（５・４）／（２・１）＝１０及び
【数５】
0005973014.tif 000006
【００８９】
である。Ｎ＝Ｓ＝８のときの異なる例においては、Ｎ＋Ｓ−１＝１５であり、同時に、
【数６】
0005973014.tif 000007
【００９０】
である。これは１４／１５＝９３％の高率をもたらすことができる。しかしながら、この高い効率は常に達成されるとは限らないことがあり得る。例えば、Ｎ＝＝８及びＳ＝２のとき、Ｎ＋Ｓ−１＝９及び
【数７】
0005973014.tif 000008
【００９１】
である。したがって、その効率は６７％に過ぎないことがあり得る。
【００９２】
この特定の符号化方法は、Ｎ＝Ｓ、関連するコード長が２Ｎ−１のときに最も効率的であることができることが認められる。Ｎ＝Ｓのとき、Ｎが増加するにしたがって、このコードの効率は、図１０に示されるように、１００％に近づくことができる。
【００９３】
この特定のコードの符号化及び復号は、第１の符号化方法よりも簡潔ではないことがある。符号化及び復号プロセスはビットストリームのシリアル構文解析（serial parsing）を要求することがあり、したがってそれは、各ユーザに関して独立的に及び並行して行われることができる第１の提案されたコードの符号化よりも複雑なものになり得る。提案されたコードの読みやすさ（legibility）は良好であり、数を２進ベースから１０進ベースへ変換する代わりに０×１のシリーズ（series）をカウントすることを含むので、おそらく第１のコードのものよりも良い。
【００９４】
空間ストリーム割当てを符号化するさらに別の方法は、図９Ｆに示されるように、全ての可能な割当てを列挙すること、及びを２進形でオリジナルのビットを表すことを含むことができる。明らかに、効率は常に１００％であるが、しかし簡潔性は皆無である。しかしながら、符号化及び復号は再帰的アルゴリズムを使用してインプリメントされることができる。
【００９５】
この符号化方法（すなわち、提案されたコードＩＩＩ）を説明するために、第２の提案されたコード（すなわち、コードＩＩ）に戻って言及することが有益である。全ての可能な割当てタプルを考慮する代わりに、全ての可能なコードワードを見ることが同意義である。換言すると、コードＩＩＩを使用して符号化されるリソース割当ては、最初にコードＩＩに変換されることができる。
【００９６】
タイプＩＩのコードワードは、ゼロビットまたは１ビットのいずれかからスタートすることができる。ゼロビットは、第１のユーザに１つのリソースも割当てられない場合を指すことができる。他方において、１ビットはその第１のユーザに割当てられる単一の空間ストリームを表すことができる。今や、コードワードの残りのものは、減少されたリソース割当て問題のためのコードワードとして解釈されることができる。
【００９７】
第１のユーザに１つのリソースも割当てられない第１の場合、Ｓの空間ストリームが残された状態で、Ｎ−１の利用可能なユーザが存在することができる。したがって、この場合に関しては、
【数８】
0005973014.tif 000009
【００９８】
の確率が残されることができる。１つの空間ストリームが第１のユーザに割当てられる第２の場合では、Ｓ−１の空間ストリームが残された状態で、Ｎの利用可能なユーザが存在することができる。したがって、この剰余に関して、
【数９】
0005973014.tif 000010
【００９９】
の確率が存在し得る。
【０１００】
Ｎ＝３、Ｓ＝２の例において、コードワードが「０」から始まるとき、
【数１０】
0005973014.tif 000011
【０１０１】
のコードワードが残され得る。コードワードが「１」から始まるときには、
【数１１】
0005973014.tif 000012
【０１０２】
のコードワードが残され得る。事実、割当てタプル（tuples）のリスト中には、ゼロの複数のリソースが第１のユーザに割当てられた状態の６つの割当てが存在することができ（図９Ｆに示されたリスト中の第１の６つのコードワード）、また、第１のユーザがそれに割当てられた１または２のリソースを有する４つのコードワード（図９Ｆに示されたコードワードのリスト中の残りの４つの項目）が存在し得る。
【０１０３】
第１の場合では、順序数（ordinal number）は０乃至５の範囲のものであることができ、第２の場合では、順序数は６乃至９の範囲のものであることができる。第１の場合、コードワードは、Ｎ＝２及びＳ＝２の、より小さいタイプＩＩＩのコードの順序値（ordinal value）を０に加えたものになることができる。第２の場合、コードワードは、Ｎ＝２及びＳ＝１の、より小さいタイプＩＩＩのコードの順序値を６に加えたものになることができる。
【０１０４】
符号化手続きは、繰り返しインプリメントされ得る。符号器はオリジナルのコード（図９Ａ参照）、短くされたコード（図９Ｂ参照）、さらに短くされたコード（図９Ｃ参照）、あるいは拡張されたタイプＩＩコード（図９Ｄ参照）のいずれかの入力として許容されることができる。復号プロセスもまた、符号化方法と逆の手続きとして繰り返しインプリメントされることができる。
【０１０５】
空間ストリームの全ての割当てが符号化される必要があるとは限らないることが認められる。例えば、ＳＤＭＡ用途においては、全てゼロのタプルは決して要求されることはあり得ず、したがって、それを符号化することは意味をなさない。タイプＩ及びタイプＩＩのコードに関しては、これは、全てゼロのコードワードが単に省かれることができることを意味する。タイプＩＩＩの符号化に関しては、０を符号化することは省かれることができ、あるいは、順序数は、第１の使用される割当てが０の順序値を有するようにシフトされることができる。
【０１０６】
リソース割当てにおける追加の制約は、任意のユーザに割当てられる空間ストリームの数を制限することであることができる。ＳＤＭＡシステムの環境において、単一の局は、例えば、Ｔより多くの空間ストリームを復号することができることはあり得ない。したがって、その追加の制約はｓｉ≦Ｔ≦Ｓとなり得る。より一般的には、１ユーザ当りの制約ｓｉ≦Ｔｉ≦Ｓを有することが可能であり得る。
【０１０７】
これは実現可能な割当ての数を制限し得るため、コードワードの数は上述したコード中のコードワードの数より小さくなり得る。明らかに、コード並びにそれらに関連する復号及び符号化方法は依然として使用されることができ、一方ある数のコードワードは単に未使用のままとなり得る。ある態様において、これはコードワードの数に影響を与えずに行われることができる。例えば、ＳＤＭＡシステムはＮ＝４のユーザ、Ｓ＝８の空間ストリーム、及び４までのユーザ当りの空間ストリーム、すなわちＴ＝４を用いて考慮されることができる。制約なし（すなわち、Ｔ＝８）では、４９５のコードワードが存在することができ、それらはコードＩＩＩ及び
【数１２】
0005973014.tif 000013
【０１０８】
を使用して符号化されることができる。Ｔ＝４のとき、実現可能なコードの数は３５５に減少されることができる。しかしながら、加えて、
【数１３】
0005973014.tif 000014
【０１０９】
でもある。したがって、効率の損失なしにコードＩＩＩが使用されることができる。コードＩＩもまた使用されることができるが、しかしＮ＋Ｓ−１＝１１ビットが要求され得るため、８２％の減少された効率となり、これは、Ｔの空間ストリームのユーザ当りの制約が符号化するために要求されるビットの数を減少させるからである。
【０１１０】
提案された符号化方法は、図１１に示されている効率、簡潔性、読みやすさの基準にしたがってランク付けされることができる。対応する符号器または復号器がＮ、Ｓあるいは両者の知識を必要とするか否かもまた示されている。図１１中のアステリスク印＊は、図９Ａからの短くされたコードの使用を表す。短くされたコードは、Ｓの知識を必要とし得る。図１１中の２つのアステリスク印＊＊は、Ｎ及びＳの値がタイプＩＩのコードから得られることができることを示し、それは符号化プロセスの中間工程として使用されることができる。したがって、タイプＩＩ及びタイプＩＩＩの組合せの符号器はＳ及びＮの知識を何等必要としないことができる。したがって、これは復号器に関しては可能ではないことがあり得る。例えば、Ｎ＝６、Ｓ＝２及びＮ＝２、Ｓ＝６及びＮ＝３、Ｓ＝２及びＮ＝２、Ｓ＝３という場合は全て、符号化するために４ビットを必要とし得る。したがって、コード長自身から、Ｎ及びＳの値は得られることはできない。ＮまたはＳのいずれかの知識でさえ、不十分なことがあり得る。例えば、コード長が４であり、Ｓ＝２であることが知られている場合、Ｎの値は依然として４または３であることができる。同様に、コード長が４であり、Ｎ＝２であることが知られている場合、Ｓの値は依然として３または４であることができる。
【０１１１】
上述された方法の種々の動作は、対応する機能を行うことのできる任意の適切な手段により行われることができる。その手段には、回路、特定用途向け集積回路（ＡＳＩＣ）、あるいはプロセッサを含むがそれに限定されない、種々のハードウェア及び／またはソフトウェアコンポーネント及び／またはモジュールが含まれ得る。一般に、複数の図面に示される複数の動作が存在し、これらの動作は、類似した番号付けをされた対応するよくに似た手段プラス機能コンポーネントを有することができる。例えば、図５、６及び７に示された動作５００、６００及び７００は、図５Ａ、６Ａ及び７Ａに示された動作５００Ａ、６００Ａ及び７００Ａに対応する。
【０１１２】
ここで使用されるように、「決定すること」という用語は多種多様なアクションを包含する。例えば、「決定すること」には、を算出すること、計算すること、処理すること、得ること（deriving）、調査すること、ルックアップすること（例えば、表、データベース、または別のデータ構造中においてルックアップすること）、確認すること等が含まれ得る。また、「決定すること」は、受信すること（例えば、情報を受信すること）、アクセスすること（例えば、メモリ中のデータにアクセスすること）等を含むことができる。さらに、「決定すること」は、解決すること、選択すること（selecting）、選ぶ（choosing）、確立すること等を含むことができる。
【０１１３】
ここで使用されているように、複数の項目のリスト「のうちの少なくとも１つ」をさす句は、単一の要素（member）を含む、これらの項目の任意の組合せをさす。一例として、「ａ、ｂ、またはｃのうちの少なくとも１つ」は、ａ、ｂ、ｃ、ａ−ｂ、ａ−ｃ、ｂ−ｃ、及びａ−ｂ−ｃをカバーすることを意図されている。
【０１１４】
上述された複数の方法の種々の動作は、１または複数の種々のハードウェア及び／またはソフトウェアコンポーネント、回路、及び／またはモジュールのような、それら動作を行うことができる任意の適切な手段により行われることができる。一般に、図面に示されている任意の動作は、それら動作を行うことができる対応した機能手段によって行われることができる。
【０１１５】
本願開示に関連して記載された様々な実例となる論理ブロック、モジュール、及び回路は、ここに記載された機能を行うように設計された汎用プロセッサ、デジタル信号プロセサ（ＤＳＰ）、特定用途向け集積回路（ＡＳＩＣ）、フィールド・プログラム可能なゲート・アレイ（ＦＰＧＡ）、あるいは他のプログラム可能な論理デバイス、ディスクリート（discrete）・ゲートまたはトランジスタ論理回路（transistor logic）、ディスクリート・ハードウェア・コンポーネント（components）、もしくは任意のその組合せを用いてインプリメントされ、あるいは行われることができる。汎用プロセッサはマイクロプロセッサであることができるが、しかし、別の態様においては、そのプロセッサは任意の市販のプロセッサ、コントローラ、マイクロコントローラ、あるいは状態機械であることができる。プロセッサはまた、例えば、ＤＳＰコアに関連した１または複数のマイクロプロセッサ、複数のマイクロプロセッサ、１つのマイクロプロセッサと１つのＤＳＰの組合せ等の、複数の計算デバイスの組合せ、あるいは任意の他のこのような構成としてインプリメントされ得る。
【０１１６】
本願開示に関連して記載された１つの方法またはアルゴリズムのステップは、ハードウェアにおいて、プロセッサによって実行されるソフトウェア・モジュールにおいて、あるいはその２者の組合せにおいて直接具体化されることができる。ソフトウェア・モジュールは、技術的に知られている任意の形態の記憶媒体に存在し得る。使用され得る記憶媒体のいくつかの例は、ランダム・アクセス・メモリ（ＲＡＭ）メモリ、読取り専用記憶装置（ＲＯＭ）メモリ、フラッシュ・メモリ、ＥＰＲＯＭメモリ、ＥＥＰＲＯＭメモリ、複数のレジスタ、ハードディスク、取外し可能ディスク、ＣＤ−ＲＯＭ等を含む。ソフトウェア・モジュールは、単一の命令、あるいは多数の命令を備えることができ、いくつかの異なるコード・セグメントにわたって、異なるプログラム間に、複数の記憶媒体中に分散されることができる。記憶媒体は、プロセッサがその記憶媒体から情報を読取り、及びその記憶媒体に情報を書込むことができるように、そのプロセッサに結合されることができる。別の態様においては、記憶媒体はそのプロセッサに内蔵されることができる。
【０１１７】
ここに開示されている方法は、記載された方法を達成するための１または複数のステップまたは動作を備える。方法ステップ及び／または動作は、本願の特許請求の範囲の請求項の技術的範囲を逸脱せずに相互に交換可能であることができる。換言すると、いくつかの動作は、複数のステップまたは動作の特定の順序が指定されない限り、特定のステップ及び／または動作の順序及び／または使用は、本願の特許請求の範囲の請求項の技術的範囲を逸脱せずに修正され得る。
【０１１８】
記載された機能は、ハードウェア、ソフトウェア、ファームウェア、あるいはその任意の組合せでインプリメントされることができる。ソフトウェアでインプリメントされる場合、機能は１または複数の命令としてコンピュータ可読媒体上に記憶され得る。記憶媒体は、コンピュータによりアクセスされることができる任意の入手可能な媒体であることができる。限定ではなく、例示すると、このようなコンピュータ可読媒体は、ＲＡＭ、ＲＯＭ、ＥＥＰＲＯＭ、ＣＤ−ＲＯＭ、あるいは他の光ディスク記憶装置、磁気ディスク記憶装置あるいは他の磁気記憶デバイス、もしくはコンピュータによりアクセスされることのでき、データ構造または命令の形態で希望するプログラム・コードを伝送するかあるいは記憶するために使用されることができる任意の他の媒体を備えることができる。ここで使用されるディスク（disk）およびディスク（disc）は、コンパクト・ディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ここでディスク（disk）は、通常、データを磁気的に再生し、一方ディスク（disc）は、データをレーザで光学的に再生する。
【０１１９】
したがって、複数のある態様は、ここに与えられた動作を行うためのコンピュータ・プログラム製品を備えることができる。たとえば、このようなコンピュータ・プログラム製品は、その上に記憶された（及び／または符号化された）複数の命令を有するコンピュータ可読媒体を備えることができ、それら命令はここに記載された複数の動作を行うために１または複数のプロセッサにより実行可能である。ある態様に関しては、コンピュータ・プログラム製品は、パッケージ材料（packaging material）を含むことができる。
【０１２０】
ソフトウェアまたは命令はまた送信媒体で送信されることができる。例えば、同軸ケーブル、光ファイバ・ケーブル、撚線対、デジタル加入者線（ＤＳＬ）、または赤外線、無線、及びマイクロ波のような無線テクノロジーを使用して、ソフトウェアがウェブサイト、サーバ、または他の遠隔ソースから送信される場合、その同軸ケーブル、光ファイバ・ケーブル、撚線対、ＤＳＬ、または赤外線、無線、及びマイクロ波のような無線テクノロジーは送信媒体の定義に含まれる。
【０１２１】
さらに、ここに記載された方法及び技術を行うためのモジュール及び／または他の適切な手段は、ダウンロードされ、及び／または、他の場合では、該当するユーザ端末及び／または基地局により得られることができることを認識すべきである。たとえば、このようなデバイスは、ここに記載された方法を行うための手段の転送を容易にするようにサーバに結合されることができる。その代わり、ここに記載された種々の方法は、記憶手段（例えば、ＲＡＭ、ＲＯＭ、コンパクト・ディスク（ＣＤ）、またはフロッピー・ディスク等のような物理記憶媒体）を介して提供されることができるため、ユーザ端末及び／または基地局は、その記憶手段をデバイスに結合するかあるいは提供すると同時に、種々の方法を得ることができる。さらに、ここに記載されている方法及び技術をデバイスに提供する任意の他の適切な技術が使用されることができる。
【０１２２】
本願の特許請求の範囲の請求項は、上記に例証されたまさにその構成及びコンポーネントに限定されないことを認識すべきである。種々の修正、変更、及び変形は、これら請求項の技術的範囲を逸脱せずに上述された方法及び装置の配置、動作、及び詳細においてなされ得る。
【０１２３】
上記は本願開示の複数の態様に関するものであるが、本願開示の他のさらなる態様はその基本的な技術的範囲を逸脱せずに考案されることができ、その技術的範囲は下記の特許請求の範囲の請求項により決定される。
【０１２４】
以下に本願発明の当初の特許請求の範囲に記載された発明を付記する。
【０１２５】
［Ｃ１］  信号（ＳＩＧ）フィールドを備えるプリアンブルを生成すること、ここにおいて、前記ＳＩＧフィールドは、複数の装置に関する複数の空間ストリームの割当て及び数を、各装置を明示的に識別せずに示す複数のビットを備える、
前記プリアンブルを前記複数の装置に送信すること
を備える、無線通信のための方法。
【０１２６】
［Ｃ２］  前記複数のビットのサブセットを各装置に割当てること、ここにおいて、各装置に割当てられた前記複数のビットのサブセットは、その装置に割当てられた空間ストリームの数を示す
をさらに備える、Ｃ１記載の方法。
【０１２７】
［Ｃ３］  装置が前記複数のビット中のその位置に基づいてその関連するサブセットを識別することを可能にするために前記複数のビットの複数のサブセットを順序付けること
をさらに備える、Ｃ２記載の方法。
【０１２８】
［Ｃ４］  前記複数のビットはコードを表し、
前記コードの異なる値は、異なる数の装置に割当てられた空間ストリームの数の異なる組合せにマップする
Ｃ１記載の方法。
【０１２９】
［Ｃ５］  少なくとも１つのコード値は、前記複数の装置のそれぞれに割当てられた同数の空間ストリームにマップする
Ｃ４記載の方法。
【０１３０】
［Ｃ６］  前記異なる組合せのそれぞれにおける前記空間ストリームの数は、規定された順序で並んでいる
Ｃ４記載の方法。
【０１３１】
［Ｃ７］  グループ識別子（ＩＤ）を備えるフレームを生成すること、ここにおいて、前記グループＩＤは、前記空間ストリームの数が前記規定された順序で前記複数の装置に割当てられるように、前記複数の装置に割当てられる複数のＩＤを指定する、
前記フレームを前記複数の装置に送信すること
をさらに備える、Ｃ６記載の方法。
【０１３２】
［Ｃ８］  前記規定された順序は、小さい順ではない順序でリストされた前記空間ストリームの数からなる、Ｃ６記載の方法。
【０１３３】
［Ｃ９］  前記規定された順序は、大きい順ではない順序でリストされた前記空間ストリームの数からなる、Ｃ６記載の方法。
【０１３４】
［Ｃ１０］  前記複数の装置のそれぞれは固有識別子（ＩＤ）を有する、Ｃ１記載の方法。
【０１３５】
［Ｃ１１］  前記ＳＩＧフィールドは前記複数の装置のグループのグループ識別子を備える、Ｃ１記載の方法。
【０１３６】
［Ｃ１２］  前記コードは、第１の値の１乃至Ｓビットと第２の値のＮ−１ビットを備え、Ｓは前記複数の装置に割当てられた前記空間ストリームの数であり、Ｎは前記複数の装置の数である、Ｃ４記載の方法。
【０１３７】
［Ｃ１３］  前記第１の値の各ビットは、前記複数の装置のうちの１つに割当てられた前記空間ストリームのうちの１つを表し、
前記第２の値の各ビットは、前記複数の装置のうちの２者間における前記空間ストリームの割当てを視覚的に示すセパレータ・シンボルを表す
Ｃ１２記載の方法。
【０１３８】
［Ｃ１４］  拡張コードを得るために前記第２の値の１または複数のビットを前記コードに付加すること、ここにおいて、前記拡張コードの長さは前記複数の組合せのすべてに関して同じである
をさらに備える、Ｃ１３記載の方法。
【０１３９】
［Ｃ１５］  前記複数の組合せは、複数の逐次的１０進整数として列挙され、
前記コードの異なる値は、前記複数の逐次的１０進整数の２進表現を備える
Ｃ４記載の方法。
【０１４０】
［Ｃ１６］  前記複数の組合せのサブセットにマップされた前記コードの異なる値を、２進値の第１のセットを用いて前記サブセットを符号化することにより得ること、前記サブセットは、前記複数の装置のうちの少なくとも１つに１つの空間ストリームも割当てられない複数の組合せを備え、前記２進値の第１のセットは、ゼロから始まって１だけ減少された規定された値で終わる複数の逐次的１０進整数の２進表現を備え、前記規定された値は前記サブセット中の前記組合せの数を示し、
残りの複数の組合せにマップされた前記コードの残りの異なる値を、２進値の第２のセットを用いて前記残りの複数の組合せを符号化することにより得ること、前記２進値の第２のセットは、前記規定された値から始まって前記複数の組合せのすべての数より１だけ減少されたもので終わる複数の逐次的１０進整数の２進表現を備える
をさらに備える、Ｃ４記載の方法。
【０１４１】
［Ｃ１７］  信号（ＳＩＧ）フィールドを備えるプリアンブルを生成するように構成された第１の回路、ここにおいて、前記ＳＩＧフィールドは、複数の他の装置に関する複数の空間ストリームの割当て及び数を、前記複数の他の装置のそれぞれを明示的に識別せずに示す複数のビットを備える、
前記プリアンブルを前記複数の他の装置に送信するように構成された送信機
を備える、無線通信のための装置。
【０１４２】
［Ｃ１８］  前記複数のビットのサブセットを前記複数の他の装置のそれぞれに割当てるように構成された第２の回路、ここにおいて、前記複数の他の装置のそれぞれに割当てられた前記複数のビットのサブセットは、その他の装置に割当てられた空間ストリームの数を示す
をさらに備える、Ｃ１７記載の装置。
【０１４３】
［Ｃ１９］  別の装置が前記複数のビット中のその位置に基づいてその関連するサブセットを識別することを可能にするために前記複数のビットの複数のサブセットを順序付けるように構成された第３の回路
をさらに備える、Ｃ１８記載の装置。
【０１４４】
［Ｃ２０］  前記複数のビットはコードを表し、
前記コードの異なる値は、異なる数の複数の他の装置に割当てられた空間ストリームの数の異なる組合せにマップする
Ｃ１７記載の装置。
【０１４５】
［Ｃ２１］  少なくとも１つのコード値は、前記複数の他の装置のそれぞれに割当てられた同数の空間ストリームにマップする
Ｃ２０記載の装置。
【０１４６】
［Ｃ２２］  前記異なる組合せのそれぞれにおける前記空間ストリームの数は、規定された順序で並んでいる
Ｃ２０記載の装置。
【０１４７】
［Ｃ２３］  前記第１の回路はまた、グループ識別子（ＩＤ）を備えるフレームを生成するように構成され、ここにおいて、前記グループＩＤは、前記空間ストリームの数が前記規定された順序で前記複数の他の装置に割当てられるように、前記複数の他の装置に割当てられる複数のＩＤを指定する、
前記送信機はまた、前記フレームを前記複数の他の装置に送信するように構成される
Ｃ２２記載の装置。
【０１４８】
［Ｃ２４］  前記規定された順序は、小さい順ではない順序でリストされた前記空間ストリームの数からなる、Ｃ２２記載の装置。
【０１４９】
［Ｃ２５］  前記規定された順序は、大きい順ではない順序でリストされた前記空間ストリームの数からなる、Ｃ２２記載の装置。
【０１５０】
［Ｃ２６］  前記複数の他の装置のそれぞれは固有識別子（ＩＤ）を有する、Ｃ１７記載の装置。
【０１５１】
［Ｃ２７］  前記ＳＩＧフィールドは前記複数の他の装置のグループのグループ識別子を備える、Ｃ１７記載の装置。
【０１５２】
［Ｃ２８］  前記コードは、第１の値の１乃至Ｓビットと第２の値のＮ−１ビットを備え、Ｓは前記複数の他の装置に割当てられた前記空間ストリームの数であり、Ｎは前記複数の他の装置の数である、Ｃ２０記載の装置。
【０１５３】
［Ｃ２９］  前記第１の値の各ビットは、前記複数の他の装置のうちの１つに割当てられた前記空間ストリームのうちの１つを表し、
前記第２の値の各ビットは、前記複数の他の装置のうちの２者間における前記空間ストリームの割当てを視覚的に示すセパレータ・シンボルを表す
Ｃ２８記載の装置。
【０１５４】
［Ｃ３０］  拡張コードを得るために前記第２の値の１または複数のビットを前記コードに付加するように構成された付加回路、ここにおいて、前記拡張コードの長さは前記複数の組合せのすべてに関して同じである
をさらに備える、Ｃ２９記載の装置。
【０１５５】
［Ｃ３１］  前記複数の組合せは、複数の逐次的１０進整数として列挙され、
前記コードの異なる値は、前記複数の逐次的１０進整数の２進表現を備える
Ｃ２０記載の装置。
【０１５６】
［Ｃ３２］  前記複数の組合せのサブセットにマップされた前記コードの異なる値を、２進値の第１のセットを用いて前記サブセットを符号化することにより得るように構成された符号器、前記サブセットは、前記複数の他の装置のうちの少なくとも１つに１つの空間ストリームも割当てられない複数の組合せを備え、前記２進値の第１のセットは、ゼロから始まって１だけ減少された規定された値で終わる複数の逐次的１０進整数の２進表現を備え、前記規定された値は前記サブセット中の前記組合せの数を示し、
ここにおいて、前記符号器はまた、残りの複数の組合せにマップされた前記コードの残りの異なる値を、２進値の第２のセットを用いて前記残りの複数の組合せを符号化することにより得るように構成され、前記２進値の第２のセットは、前記規定された値から始まって前記複数の組合せのすべての数より１だけ減少されたもので終わる複数の逐次的１０進整数の２進表現を備える
をさらに備える、Ｃ２０記載の装置。
【０１５７】
［Ｃ３３］  信号（ＳＩＧ）フィールドを備えるプリアンブルを生成するための手段、ここにおいて、前記ＳＩＧフィールドは、複数の他の装置に関する複数の空間ストリームの割当て及び数を、前記複数の他の装置のそれぞれを明示的に識別せずに示す複数のビットを備える、
前記プリアンブルを前記複数の他の装置に送信するための手段
を備える、無線通信のための装置。
【０１５８】
［Ｃ３４］  前記複数のビットのサブセットを前記複数の他の装置のそれぞれに割当てるための手段、ここにおいて、前記複数の他の装置のそれぞれに割当てられた前記複数のビットのサブセットは、その他の装置に割当てられた空間ストリームの数を示す
をさらに備える、Ｃ３３記載の装置。
【０１５９】
［Ｃ３５］  別の装置が前記複数のビット中のその位置に基づいてその関連するサブセットを識別することを可能にするために前記複数のビットの複数のサブセットを順序付けるための手段
をさらに備える、Ｃ３４記載の装置。
【０１６０】
［Ｃ３６］  前記複数のビットはコードを表し、
前記コードの異なる値は、異なる数の他の装置に割当てられた空間ストリームの数の異なる組合せにマップする
Ｃ３３記載の装置。
【０１６１】
［Ｃ３７］  少なくとも１つのコード値は、前記複数の他の装置のそれぞれに割当てられた同数の空間ストリームにマップする
Ｃ３６記載の装置。
【０１６２】
［Ｃ３８］  前記異なる組合せのそれぞれにおける前記空間ストリームの数は、規定された順序で並んでいる
Ｃ３６記載の装置。
【０１６３】
［Ｃ３９］  グループ識別子（ＩＤ）を備えるフレームを生成するための手段、ここにおいて、前記グループＩＤは、前記空間ストリームの数が前記規定された順序で前記複数の他の装置に割当てられるように、前記複数の他の装置に割当てられる複数のＩＤを指定する
をさらに備え、
前記送信するための手段はさらに、前記フレームを前記複数の他の装置に送信するように構成される、Ｃ３８記載の装置。
【０１６４】
［Ｃ４０］  前記規定された順序は、小さい順ではない順序でリストされた前記空間ストリームの数からなる、Ｃ３８記載の装置。
【０１６５】
［Ｃ４１］  前記規定された順序は、大きい順ではない順序でリストされた前記空間ストリームの数からなる、Ｃ３８記載の装置。
【０１６６】
［Ｃ４２］  前記複数の他の装置のそれぞれは固有識別子（ＩＤ）を有する、Ｃ３３記載の装置。
【０１６７】
［Ｃ４３］  前記ＳＩＧフィールドは前記複数の他の装置のグループのグループ識別子を備える、Ｃ３３記載の装置。
【０１６８】
［Ｃ４４］  前記コードは、第１の値の１乃至Ｓビットと第２の値のＮ−１ビットを備え、Ｓは前記複数の他の装置に割当てられた前記空間ストリームの数であり、Ｎは前記複数の他の装置の数である、Ｃ３６記載の装置。
【０１６９】
［Ｃ４５］  前記第１の値の各ビットは、前記複数の他の装置のうちの１つに割当てられた前記空間ストリームのうちの１つを表し、
前記第２の値の各ビットは、前記複数の他の装置のうちの２者間における前記空間ストリームの割当てを視覚的に示すセパレータ・シンボルを表す
Ｃ４４記載の装置。
【０１７０】
［Ｃ４６］  拡張コードを得るために前記第２の値の１または複数のビットを前記コードに付加するための手段、ここにおいて、前記拡張コードの長さは前記複数の組合せのすべてに関して同じである
をさらに備える、Ｃ４５記載の装置。
【０１７１】
［Ｃ４７］  前記複数の組合せは、複数の逐次的１０進整数として列挙され、
前記コードの異なる値は、前記複数の逐次的１０進整数の２進表現を備える
Ｃ３６記載の装置。
【０１７２】
［Ｃ４８］  前記複数の組合せのサブセットにマップされた前記コードの異なる値を、２進値の第１のセットを用いて前記サブセットを符号化することにより得るための手段、前記サブセットは、前記複数の他の装置のうちの少なくとも１つに１つの空間ストリームも割当てられない複数の組合せを備え、前記２進値の第１のセットは、ゼロから始まって１だけ減少された規定された値で終わる複数の逐次的１０進整数の２進表現を備え、前記規定された値は前記サブセット中の前記組合せの数を示し、
残りの複数の組合せにマップされた前記コードの残りの異なる値を、２進値の第２のセットを用いて前記残りの複数の組合せを符号化することにより得るための手段、前記２進値の第２のセットは、前記規定された値から始まって前記複数の組合せのすべての数より１だけ減少されたもので終わる複数の逐次的１０進整数の２進表現を備える
をさらに備える、Ｃ３６記載の装置。
【０１７３】
［Ｃ４９］  信号（ＳＩＧ）フィールドを備えるプリアンブルを生成する、ここにおいて、前記ＳＩＧフィールドは、複数の装置に関する複数の空間ストリームの割当て及び数を、各装置を明示的に識別せずに示す複数のビットを備える、
前記プリアンブルを前記複数の装置に送信する
ために実行可能な複数の命令を備えるコンピュータ可読媒体を備える、無線通信のためのコンピュータ・プログラム製品。
【０１７４】
［Ｃ５０］  少なくとも１つのアンテナ、
信号（ＳＩＧ）フィールドを備えるプリアンブルを生成するように構成された回路、ここにおいて、前記ＳＩＧフィールドは、複数の無線ノードに関する複数の空間ストリームの割当て及び数を、各無線ノードを明示的に識別せずに示す複数のビットを備える、
前記少なくとも１つのアンテナを介して前記プリアンブルを前記複数の無線ノードに送信するように構成された送信機
を備えるアクセス・ポイント。
【０１７５】
［Ｃ５１］  装置及び複数の他の装置に送信されるプリアンブルを、前記装置において受信すること、前記プリアンブルは信号（ＳＩＧ）フィールドを備える、ここにおいて、前記ＳＩＧフィールドは、複数の装置に関する複数の空間ストリームの割当て及び数を、各装置を明示的に識別せずに示す複数のビットを備える、
前記複数のビットに基づいて、いずれの空間ストリームが前記装置に割当てられるかを決定すること
を備える、無線通信のための方法。
【０１７６】
［Ｃ５２］  前記複数のビットのサブセットを各装置に割当てること、ここにおいて、各装置に割当てられた前記複数のビットのサブセットは、その装置に割当てられた空間ストリームの数を示す
をさらに備える、Ｃ５１記載の方法。
【０１７７】
［Ｃ５３］  装置が前記複数のビット中のその位置に基づいてその関連するサブセットを識別することを可能にするために前記複数のビットの複数のサブセットを順序付けること
をさらに備える、Ｃ５２記載の方法。
【０１７８】
［Ｃ５４］  前記複数のビットはコードを表し、
前記コードの異なる値は、異なる数の装置に割当てられた空間ストリームの数の異なる組合せにマップする
Ｃ５１記載の方法。
【０１７９】
［Ｃ５５］  少なくとも１つのコード値は、前記複数の装置のそれぞれに割当てられた同数の空間ストリームにマップする
Ｃ５４記載の方法。
【０１８０】
［Ｃ５６］  前記異なる組合せのそれぞれにおける前記空間ストリームの数は、規定された順序で並んでいる
Ｃ５４記載の方法。
【０１８１】
［Ｃ５７］  前記装置及び前記複数の他の装置に送信されるフレームを、前記装置において受信すること、前記フレームはグループ識別子（ＩＤ）を備える、
ここにおいて、前記グループＩＤは、前記空間ストリームの数が前記規定された順序で前記複数の装置に割当てられるように、前記複数の装置に割当てられた複数のＩＤを指定する
をさらに備える、Ｃ５６記載の方法。
【０１８２】
［Ｃ５８］  前記規定された順序は、小さい順ではない順序でリストされた前記空間ストリームの数からなる、Ｃ５６記載の方法。
【０１８３】
［Ｃ５９］  前記規定された順序は、大きい順ではない順序でリストされた前記空間ストリームの数からなる、Ｃ５６記載の方法。
【０１８４】
［Ｃ６０］  前記装置に割当てられた前記空間ストリーム上のパケットを受信すること、
前記受信されたパケットを復号すること、
前記パケットに関連した媒体アクセス制御（ＭＡＣ）アドレスが前記装置に関連したＭＡＣアドレスと異なる場合、前記復号されたパケットを廃棄すること
をさらに備える、Ｃ５１記載の方法。
【０１８５】
［Ｃ６１］  前記コードは、第１の値の１乃至Ｓビットと第２の値のＮ−１ビットを備え、Ｓは前記複数の装置に割当てられた前記空間ストリームの数であり、Ｎは前記複数の装置の数である、Ｃ５４記載の方法。
【０１８６】
［Ｃ６２］  前記第１の値の各ビットは、前記複数の装置のうちの１つに割当てられた前記空間ストリームのうちの１つを表し、
前記第２の値の各ビットは、前記複数の装置のうちの２者間における前記空間ストリームの割当てを視覚的に示すセパレータ・シンボルを表す
Ｃ６１記載の方法。
【０１８７】
［Ｃ６３］  前記第２の値の１または複数のビットは、拡張コードを得るために前記コードに付加される、ここにおいて、前記拡張コードの長さは前記複数の組合せのすべてに関して同じである、Ｃ６２記載の方法。
【０１８８】
［Ｃ６４］  前記複数の組合せは、複数の逐次的１０進整数として列挙され、
前記コードの異なる値は、前記複数の逐次的１０進整数の２進表現を備える
Ｃ５４記載の方法。
【０１８９】
［Ｃ６５］  前記複数の組合せのサブセットにマップされた前記コードの異なる値は、２進値の第１のセットを用いて前記サブセットを符号化することにより得られ、前記サブセットは、前記複数の装置のうちの少なくとも１つに１つの空間ストリームも割当てられない複数の組合せを備え、前記２進値の第１のセットは、ゼロから始まって１だけ減少された規定された値で終わる複数の逐次的１０進整数の２進表現を備え、前記規定された値は前記サブセット中の前記組合せの数を示し、
残りの複数の組合せにマップされた前記コードの残りの異なる値は、２進値の第２のセットを用いて前記残りの複数の組合せを符号化することにより得られ、前記２進値の第２のセットは、前記規定された値から始まって前記複数の組合せのすべての数より１だけ減少されたもので終わる複数の逐次的１０進整数の２進表現を備える
Ｃ５４記載の方法。
【０１９０】
［Ｃ６６］  装置及び複数の他の装置に送信されたプリアンブルを受信するように構成された受信機、前記プリアンブルは信号（ＳＩＧ）フィールドを備える、ここにおいて、前記ＳＩＧフィールドは、複数の装置に関する複数の空間ストリームの割当て及び数を、各装置を明示的に識別せずに示す複数のビットを備える、
前記複数のビットに基づいて、いずれの空間ストリームが前記装置に割当てられるかを決定するように構成された回路
を備える、無線通信のための装置。
【０１９１】
［Ｃ６７］  前記複数のビットのサブセットを、複数の装置の各装置に割当てるように構成された第２の回路、ここにおいて、前記複数の装置の各装置に割当てられた前記複数のビットのサブセットは、その装置に割当てられた空間ストリームの数を示す
をさらに備える、Ｃ６６記載の装置。
【０１９２】
［Ｃ６８］  別の装置が前記複数のビット中のその位置に基づいてその関連するサブセットを識別することを可能にするために前記複数のビットの複数のサブセットを順序付けるように構成された第３の回路
をさらに備える、Ｃ６７記載の装置。
【０１９３】
［Ｃ６９］  前記複数のビットはコードを表し、
前記コードの異なる値は、異なる数の装置に割当てられた空間ストリームの数の異なる組合せにマップする
Ｃ６６記載の装置。
【０１９４】
［Ｃ７０］  少なくとも１つのコード値は、前記複数の装置のそれぞれに割当てられた同数の空間ストリームにマップする
Ｃ６９記載の装置。
【０１９５】
［Ｃ７１］  前記異なる組合せのそれぞれにおける前記空間ストリームの数は、規定された順序で並んでいる
Ｃ６９記載の装置。
【０１９６】
［Ｃ７２］  前記受信機はまた、前記装置および前記複数の他の装置に送信されたフレームを受信するように構成され、前記フレームはグループ識別子（ＩＤ）を備え、
前記グループＩＤは、前記空間ストリームの数が前記規定された順序で前記複数の装置に割当てられるように、前記複数の装置に割当てられた複数のＩＤを指定する
Ｃ７１記載の装置。
【０１９７】
［Ｃ７３］  前記規定された順序は、小さい順ではない順序でリストされた前記空間ストリームの数からなる
Ｃ７１記載の装置。
【０１９８】
［Ｃ７４］  前記規定された順序は、大きい順ではない順序でリストされた前記空間ストリームの数からなる
Ｃ７１記載の装置。
【０１９９】
［Ｃ７５］  前記受信機はまた、前記装置に割当てられた前記空間ストリーム上のパケットを受信するように構成され、前記装置はさらに、
前記受信されたパケットを復号するように構成された復号器、
前記パケットに関連した媒体アクセス制御（ＭＡＣ）アドレスが前記装置に関連したＭＡＣアドレスと異なる場合、前記復号されたパケットを廃棄するように構成された別の回路
をさらに備える、Ｃ６６記載の装置。
【０２００】
［Ｃ７６］  前記コードは、第１の値の１乃至Ｓビットと第２の値のＮ−１ビットを備え、Ｓは前記複数の装置に割当てられた前記空間ストリームの数であり、Ｎは前記複数の装置の数である、Ｃ６９記載の装置。
【０２０１】
［Ｃ７７］  前記第１の値の各ビットは、前記複数の装置のうちの１つに割当てられた前記空間ストリームのうちの１つを表し、
前記第２の値の各ビットは、前記複数の装置のうちの２者間における前記空間ストリームの割当てを視覚的に示すセパレータ・シンボルを表す
Ｃ７６記載の装置。
【０２０２】
［Ｃ７８］  前記第２の値の１または複数のビットは、拡張コードを得るために前記コードに付加される、ここにおいて、前記拡張コードの長さは前記複数の組合せのすべてに関して同じである、Ｃ７７記載の装置。
【０２０３】
［Ｃ７９］  前記複数の組合せは、複数の逐次的１０進整数として列挙され、
前記コードの異なる値は、前記複数の逐次的１０進整数の２進表現を備える
Ｃ６９記載の装置。
【０２０４】
［Ｃ８０］  前記複数の組合せのサブセットにマップされた前記コードの異なる値は、２進値の第１のセットを用いて前記サブセットを符号化することにより得られ、前記サブセットは、前記複数の装置のうちの少なくとも１つに１つの空間ストリームも割当てられない複数の組合せを備え、前記２進値の第１のセットは、ゼロから始まって１だけ減少された規定された値で終わる複数の逐次的１０進整数の２進表現を備え、前記規定された値は前記サブセット中の前記組合せの数を示し、
残りの複数の組合せにマップされた前記コードの残りの異なる値は、２進値の第２のセットを用いて前記残りの複数の組合せを符号化することにより得られ、前記２進値の第２のセットは、前記規定された値から始まって前記複数の組合せのすべての数より１だけ減少されたもので終わる複数の逐次的１０進整数の２進表現を備える
Ｃ６９記載の装置。
【０２０５】
［Ｃ８１］  装置及び複数の他の装置に送信されたプリアンブルを受信するための手段、前記プリアンブルは信号（ＳＩＧ）フィールドを備える、ここにおいて、前記ＳＩＧフィールドは、複数の装置に関する複数の空間ストリームの割当て及び数を、各装置を明示的に識別せずに示す複数のビットを備える、
前記複数のビットに基づいて、いずれの空間ストリームが前記装置に割当てられるかを決定するための手段
を備える、無線通信のための装置。
【０２０６】
［Ｃ８２］  前記複数のビットのサブセットを前記複数の装置の各装置に割当てるための手段、ここにおいて、前記複数の装置の各装置に割当てられた前記複数のビットのサブセットは、その装置に割当てられた空間ストリームの数を示す
をさらに備える、Ｃ８１記載の装置。
【０２０７】
［Ｃ８３］  別の装置が前記複数のビット中のその位置に基づいてその関連するサブセットを識別することを可能にするために前記複数のビットの複数のサブセットを順序付けるための手段
をさらに備える、Ｃ８２記載の装置。
【０２０８】
［Ｃ８４］  前記複数のビットはコードを表し、
前記コードの異なる値は、異なる数の装置に割当てられた空間ストリームの数の異なる組合せにマップする
Ｃ８１記載の装置。
【０２０９】
［Ｃ８５］  少なくとも１つのコード値は、前記複数の装置のそれぞれに割当てられた同数の空間ストリームにマップする
Ｃ８４記載の装置。
【０２１０】
［Ｃ８６］  前記異なる組合せのそれぞれにおける前記空間ストリームの数は、規定された順序で並んでいる
Ｃ８４記載の装置。
【０２１１】
［Ｃ８７］  前記受信するための手段はまた、前記装置および前記複数の他の装置に送信されたフレームを受信するようにさらに構成され、前記フレームはグループ識別子（ＩＤ）を備える、
ここにおいて、前記グループＩＤは、前記空間ストリームの数が前記規定された順序で前記複数の装置に割当てられるように、前記複数の装置に割当てられた複数のＩＤを指定する
Ｃ８６記載の装置。
【０２１２】
［Ｃ８８］  前記規定された順序は、小さい順ではない順序でリストされた前記空間ストリームの数からなる
Ｃ８６記載の装置。
【０２１３】
［Ｃ８９］  前記規定された順序は、大きい順ではない順序でリストされた前記空間ストリームの数からなる
Ｃ８６記載の装置。
【０２１４】
［Ｃ９０］  前記受信するための手段は、前記装置に割当てられた前記空間ストリーム上のパケットを受信するようにさらに構成され、前記装置はさらに、
前記受信されたパケットを復号するための手段、
前記パケットに関連した媒体アクセス制御（ＭＡＣ）アドレスが前記装置に関連したＭＡＣアドレスと異なる場合、前記復号されたパケットを廃棄するための手段
をさらに備える、Ｃ８１記載の装置。
【０２１５】
［Ｃ９１］  前記コードは、第１の値の１乃至Ｓビットと第２の値のＮ−１ビットを備え、Ｓは前記複数の装置に割当てられた前記空間ストリームの数であり、Ｎは前記複数の装置の数である、Ｃ８４記載の装置。
【０２１６】
［Ｃ９２］  前記第１の値の各ビットは、前記複数の装置のうちの１つに割当てられた前記空間ストリームのうちの１つを表し、
前記第２の値の各ビットは、前記複数の装置のうちの２者間における前記空間ストリームの割当てを視覚的に示すセパレータ・シンボルを表す
Ｃ９１記載の装置。
【０２１７】
［Ｃ９３］  前記第２の値の１または複数のビットは、拡張コードを得るために前記コードに付加される、ここにおいて、前記拡張コードの長さは前記複数の組合せのすべてに関して同じである、Ｃ９２記載の装置。
【０２１８】
［Ｃ９４］  前記複数の組合せは、複数の逐次的１０進整数として列挙され、
前記コードの異なる値は、前記複数の逐次的１０進整数の２進表現を備える
Ｃ８４記載の装置。
【０２１９】
［Ｃ９５］  前記複数の組合せのサブセットにマップされた前記コードの異なる値は、２進値の第１のセットを用いて前記サブセットを符号化することにより得られ、前記サブセットは、前記複数の装置のうちの少なくとも１つに１つの空間ストリームも割当てられない複数の組合せを備え、前記２進値の第１のセットは、ゼロから始まって１だけ減少された規定された値で終わる複数の逐次的１０進整数の２進表現を備え、前記規定された値は前記サブセット中の前記組合せの数を示し、
残りの複数の組合せにマップされた前記コードの残りの異なる値は、２進値の第２のセットを用いて前記残りの複数の組合せを符号化することにより得られ、前記２進値の第２のセットは、前記規定された値から始まって前記複数の組合せのすべての数より１だけ減少されたもので終わる複数の逐次的１０進整数の２進表現を備える
Ｃ８４記載の装置。
【０２２０】
［Ｃ９６］  装置及び複数の他の装置に送信されたプリアンブルを、前記装置において受信する、前記プリアンブルは信号（ＳＩＧ）フィールドを備える、ここにおいて、前記ＳＩＧフィールドは、複数の装置に関する複数の空間ストリームの割当て及び数を、各装置を明示的に識別せずに示す複数のビットを備える、
前記複数のビットに基づいて、いずれの空間ストリームが前記装置に割当てられるかを決定する
ために実行可能な複数の命令を備えるコンピュータ可読媒体を備える、無線通信のためのコンピュータ・プログラム製品。
【０２２１】
［Ｃ９７］  少なくとも１つのアンテナと、
無線ノード及び複数の他の無線ノードに送信されたプリアンブルを、前記少なくとも１つのアンテナを介して受信するように構成された受信機、前記プリアンブルは信号（ＳＩＧ）フィールドを備える、ここにおいて、前記ＳＩＧフィールドは、複数の無線ノードに関する複数の空間ストリームの割当て及び数を、各無線ノードを明示的に識別せずに示す複数のビットを備える、
前記複数のビットに基づいて、いずれの空間ストリームが前記無線ノードに割当てられるかを決定するように構成された回路
を備える無線ノード。
【０２２２】
［Ｃ９８］  複数の識別子（ＩＤ）を備えるフレームを、装置において生成すること、ここにおいて、前記複数のＩＤは複数の装置に割当てられる、
前記フレームを前記複数の装置に送信すること
を備える、無線通信のための方法。
【０２２３】
［Ｃ９９］  前記複数のＩＤは、各アクセス・クラスに関して１つのＩＤを備える、Ｃ９８記載の方法。
【０２２４】
［Ｃ１００］  前記複数の装置のうちの１つに割当てられた前記複数のＩＤのそれぞれは、規定された数の固有ＩＤから選択される、
固有ＩＤの前記規定された数は、前記装置からの空間分割多元接続（ＳＤＭＡ）送信によって同時にサポートされる装置の最大数に等しい、Ｃ９８記載の方法。
【０２２５】
［Ｃ１０１］  異なる複数のＩＤを備える別のフレームを生成すること、ここにおいて、前記異なる複数のＩＤは前記複数の装置に割当てられる、
前記別のフレームを前記複数の装置に送信すること
をさらに備える、Ｃ９８記載の方法。
【０２２６】
［Ｃ１０２］  グループＩＤは、前記複数の装置に割当てられた異なる複数のＩＤを指定する、Ｃ１０１記載の方法。
【０２２７】
［Ｃ１０３］  前記フレームはグループＩＤを備える、
前記グループＩＤは、前記空間ストリームの数が前記規定された順序で前記複数の装置に割当てられるように、前記複数の装置に割当てられた複数のＩＤを規定する
Ｃ９８記載の方法。
【０２２８】
［Ｃ１０４］  前記規定された順序は、小さい順ではない順序でリストされた前記空間ストリームの数からなる、Ｃ１０３記載の方法。
【０２２９】
［Ｃ１０５］  前記規定された順序は、大きい順ではない順序でリストされた前記空間ストリームの数からなる、Ｃ１０３記載の方法。
【０２３０】
［Ｃ１０６］  複数の識別子（ＩＤ）を備えるフレームを生成するように構成された回路、ここにおいて、前記複数のＩＤは複数の装置に割当てられる、
前記フレームを前記複数の装置に送信するように構成された送信機
を備える、無線通信のための装置。
【０２３１】
［Ｃ１０７］  前記複数のＩＤは、各アクセス・クラスに関して１つのＩＤを備える、Ｃ１０６記載の装置。
【０２３２】
［Ｃ１０８］  前記複数の装置のうちの１つに割当てられた前記複数のＩＤのそれぞれは、規定された数の固有ＩＤから選択される、
固有ＩＤの前記規定された数は、前記装置からの空間分割多元接続（ＳＤＭＡ）送信によって同時にサポートされる装置の最大数に等しい
Ｃ１０６記載の装置。
【０２３３】
［Ｃ１０９］  前記回路はまた、異なる複数のＩＤを備える別のフレームを生成するように構成され、
前記異なる複数のＩＤは前記複数の装置に割当てられ、
前記送信機はまた、前記別のフレームを前記複数の装置に送信するように構成される、Ｃ１０６記載の装置。
【０２３４】
［Ｃ１１０］  グループＩＤは、前記複数の装置に割当てられた異なる複数のＩＤを指定する、Ｃ１０９記載の装置。
【０２３５】
［Ｃ１１１］  前記フレームはグループＩＤを備え、
前記グループＩＤは、前記空間ストリームの数が前記規定された順序で前記複数の装置に割当てられるように、前記複数の装置に割当てられた複数のＩＤを規定する
Ｃ１０６記載の装置。
【０２３６】
［Ｃ１１２］  前記規定された順序は、小さい順ではない順序でリストされた前記空間ストリームの数からなる、Ｃ１１１記載の装置。
【０２３７】
［Ｃ１１３］  前記規定された順序は、大きい順ではない順序でリストされた前記空間ストリームの数からなる、Ｃ１１１記載の装置。
【０２３８】
［Ｃ１１４］  複数の識別子（ＩＤ）を備えるフレームを、装置において生成するための手段、ここにおいて、前記複数のＩＤは複数の装置に割当てられる、
前記フレームを前記複数の装置に送信するための手段
を備える、無線通信のための装置。
【０２３９】
［Ｃ１１５］  前記複数のＩＤは、各アクセス・クラスに関して１つのＩＤを備える、Ｃ１１４記載の装置。
【０２４０】
［Ｃ１１６］  前記複数の装置のうちの１つに割当てられた前記複数のＩＤのそれぞれは、規定された数の固有ＩＤから選択される、
固有ＩＤの前記規定された数は、前記装置からの空間分割多元接続（ＳＤＭＡ）送信によって同時にサポートされる装置の最大数に等しい
Ｃ１１４記載の装置。
【０２４１】
［Ｃ１１７］  異なる複数のＩＤを備える別のフレームを生成するための手段、
ここにおいて、前記異なる複数のＩＤは前記複数の装置に割当てられる
をさらに備え、
前記送信するための手段は、前記別のフレームを前記複数の装置に送信するようにさらに構成される、Ｃ１１４記載の装置。
【０２４２】
［Ｃ１１８］  グループＩＤは、前記複数の装置に割当てられた異なる複数のＩＤを指定する、Ｃ１１７記載の装置。
【０２４３】
［Ｃ１１９］  前記フレームはグループＩＤを備え、
前記グループＩＤは、前記空間ストリームの数が規定された順序で前記複数の装置に割当てられるように、前記複数の装置に割当てられた複数のＩＤを規定する
Ｃ１１４記載の装置。
【０２４４】
［Ｃ１２０］  前記規定された順序は、小さい順ではない順序でリストされた前記空間ストリームの数からなる、Ｃ１１９記載の装置。
【０２４５】
［Ｃ１２１］  前記規定された順序は、大きい順ではない順序でリストされた前記空間ストリームの数からなる、Ｃ１１９記載の装置。
【０２４６】
［Ｃ１２２］  複数の識別子（ＩＤ）を備えるフレームを、装置において生成する、ここにおいて、前記複数のＩＤは複数の装置に割当てられる、
前記フレームを前記複数の装置に送信する
ために実行可能な複数の命令を備えるコンピュータ可読媒体を備える、無線通信のためのコンピュータ・プログラム製品。
【０２４７】
［Ｃ１２３］  少なくとも１つのアンテナ、  複数の識別子（ＩＤ）を備えるフレームを生成するように構成された回路、ここにおいて、前記複数のＩＤは複数の無線ノードに割当てられる、前記少なくとも１つのアンテナを介して前記フレームを前記複数の無線ノードに送信するように構成された送信機を備えるアクセス・ポイント。
以下に本件出願当初の特許請求の範囲に記載された発明を付記する。
［１］  信号（ＳＩＧ）フィールドを備えるプリアンブルを生成すること、前記ＳＩＧフィールドは、複数の装置に関する複数の空間ストリームの割当て及び数を、各装置を明示的に識別せずに示す複数のビットを備える、前記複数のビットのサブセットを各装置に割当てること、各装置に割当てられた前記複数のビットのサブセットは、その装置に割当てられた空間ストリームの数を示す、各装置が前記複数のビット中のその位置に基づいてその関連するサブセットを識別することを可能にするために前記複数のビットの複数のサブセットを順序付けること、前記プリアンブルを前記複数の装置に送信することを備える、無線通信のための方法。
［２］  信号（ＳＩＧ）フィールドを備えるプリアンブルを生成すること、前記ＳＩＧフィールドは、複数の装置に関する複数の空間ストリームの割当て及び数を、各装置を明示的に識別せずに示す複数のビットを備える、前記プリアンブルを前記装置に送信すること、前記複数のビットはコードを表し、前記コードの異なる値は、異なる数の前記複数の装置に割当てられた空間ストリームの数の異なる組合せにマップし、少なくとも１つのコード値は、前記装置のそれぞれに割当てられた同じ数の空間ストリームにマップする、を備える、無線通信のための方法。
［３］  信号（ＳＩＧ）フィールドを備えるプリアンブルを生成すること、前記ＳＩＧフィールドは、複数の装置に関する複数の空間ストリームの割当て及び数を、各装置を明示的に識別せずに示す複数のビットを備える、前記プリアンブルを前記装置に送信すること、前記複数のビットはコードを表し、前記コードの異なる値は、異なる数の前記複数の装置に割当てられた空間ストリームの数の異なる組合せにマップし、前記異なる複数の組合せのそれぞれにおける前記空間ストリームの数は、規定された順序で並んでいる、を備える、無線通信のための方法。
［４］  グループ識別子（ＩＤ）を備えるフレームを生成すること、前記グループＩＤは、前記空間ストリームの数が前記規定された順序で前記複数の装置に割当てられるように、前記複数の装置に割当てられる複数のＩＤを指定する、前記フレームを前記複数の装置に送信すること、をさらに備える、［３］に記載の方法。
［５］  前記規定された順序は、小さい順ではない順序でリストされた前記空間ストリームの数を備える、［３］に記載の方法。
［６］  前記規定された順序は、大きい順ではない順序でリストされた前記空間ストリームの数を備える、［３］に記載の方法。
［７］  前記複数の装置のそれぞれは固有識別子（ＩＤ）を有する、［１］に記載の方法。
［８］  前記ＳＩＧフィールドは前記複数の装置のグループのグループ識別子を備える、［１］に記載の方法。
［９］  信号（ＳＩＧ）フィールドを備えるプリアンブルを生成すること、前記ＳＩＧフィールドは、複数の装置に関する複数の空間ストリームの割当て及び数を、各装置を明示的に識別せずに示す複数のビットを備える、前記プリアンブルを前記複数の装置に送信すること、前記複数のビットはコードを表し、前記コードの異なる値は、異なる数の複数の装置に割当てられた空間ストリームの数の異なる組合せにマップし、前記コードは、第１の値の１乃至Ｓビットと第２の値のＮ−１ビットを備え、Ｓは前記複数の装置に割当てられた前記空間ストリームの数であり、Ｎは前記複数の装置の数である、を備える、無線通信のための方法。
［１０］  前記第１の値の各ビットは、前記複数の装置のうちの１つに割当てられた前記空間ストリームのうちの１つを表し、前記第２の値の各ビットは、前記複数の装置のうちの２者間における前記空間ストリームの割当てを視覚的に示すセパレータ・シンボルを表す、［９］に記載の方法。
［１１］  拡張コードを得るために前記第２の値の１または複数のビットを前記コードに付加すること、前記拡張コードの長さは前記複数の組合せのすべてに関して同じである  をさらに備える、［１０］に記載の方法。
［１２］  信号（ＳＩＧ）フィールドを備えるプリアンブルを生成すること、前記ＳＩＧフィールドは、複数の装置に関する複数の空間ストリームの割当て及び数を、各装置を明示的に識別せずに示す複数のビットを備える、前記プリアンブルを前記複数の装置に送信すること、前記複数のビットはコードを表し、前記コードの異なる値は、異なる数の複数の装置に割当てられた空間ストリームの数の異なる組合せにマップし、前記複数の組合せは、複数の逐次的１０進整数として列挙され、前記コードの異なる値は、前記複数の逐次的１０進整数の２進表現を備える、前記プリアンブルを前記複数の装置に送信することを備える、無線通信のための方法。
［１３］  方法であって、信号（ＳＩＧ）フィールドを備えるプリアンブルを生成すること、前記ＳＩＧフィールドは、複数の装置に関する複数の空間ストリームの割当て及び数を、各装置を明示的に識別せずに示す複数のビットを備える、前記プリアンブルを前記複数の装置に送信すること、を備え、前記複数のビットはコードを表し、前記コードの異なる値は、異なる数の複数の装置に割当てられた空間ストリームの数の異なる組合せにマップする、前記方法はさらに、前記複数の組合せのサブセットにマップされた前記コードの異なる値を、２進値の第１のセットを用いて前記サブセットを符号化することにより得ること、前記サブセットは、前記複数の装置のうちの少なくとも１つに１つの空間ストリームも割当てられない複数の組合せを備え、前記２進値の第１のセットは、ゼロから始まって１だけ減少された規定された値で終わる複数の逐次的１０進整数の２進表現を備え、前記規定された値は前記サブセット中の前記組合せの数を示し、残りの複数の組合せにマップされた前記コードの残りの異なる値を、２進値の第２のセットを用いて前記残りの複数の組合せを符号化することにより得ること、前記２進値の第２のセットは、前記規定された値から始まって前記複数の組合せのすべての数より１だけ減少されたもので終わる複数の逐次的１０進整数の２進表現を備える、を備える、無線通信のための方法。
［１４］  信号（ＳＩＧ）フィールドを備えるプリアンブルを生成するように構成された第１の回路と、前記ＳＩＧフィールドは、複数の他の装置に関する複数の空間ストリームの割当て及び数を、前記複数の他の装置のそれぞれを明示的に識別せずに示す複数のビットを備える、前記複数のビットのサブセットを前記複数の他の装置のそれぞれに割当てるように構成された第２の回路と、前記複数の他の装置のそれぞれに割当てられた前記複数のビットのサブセットは、その他の装置に割当てられた空間ストリームの数を示す、前記複数の他の装置のそれぞれが前記複数のビット中のその位置に基づいてその関連するサブセットを識別することを可能にするために前記複数のビットの複数のサブセットを順序付けるように構成された第３の回路と、前記プリアンブルを前記複数の他の装置に送信するように構成された送信機と、を備える、無線通信のための装置。
［１５］  信号（ＳＩＧ）フィールドを備えるプリアンブルを生成するように構成された第１の回路と、前記ＳＩＧフィールドは、複数の装置に関する複数の空間ストリームの割当て及び数を、各装置を明示的に識別せずに示す複数のビットを備える、前記プリアンブルを前記装置に送信するように構成された送信機と、前記複数のビットはコードを表し、前記コードの異なる値は、異なる数の複数の装置に割当てられた空間ストリームの数の異なる組合せにマップし、少なくとも１つのコード値は、前記装置のそれぞれに割当てられた同じ数の空間ストリームにマップする、を備える、無線通信のための装置。
［１６］  信号（ＳＩＧ）フィールドを備えるプリアンブルを生成するように構成された第１の回路と、前記ＳＩＧフィールドは、複数の装置に関する複数の空間ストリームの割当て及び数を、各装置を明示的に識別せずに示す複数のビットを備える、前記プリアンブルを前記装置に送信するように構成された送信機と、前記複数のビットはコードを表し、前記コードの異なる値は、異なる数の複数の装置に割当てられた空間ストリームの数の異なる組合せにマップし、前記異なる複数の組合せのそれぞれにおける前記空間ストリームの数は、規定された順序で並んでいる、を備える、無線通信のための装置。
［１７］  前記第１の回路はまた、グループ識別子（ＩＤ）を備えるフレームを生成するように構成され、前記グループＩＤは、前記空間ストリームの数が前記規定された順序で前記複数の装置に割当てられるように、前記複数の装置に割当てられる複数のＩＤを指定する、前記送信機はまた、前記フレームを前記複数の装置に送信するように構成される、［１６］に記載の装置。
［１８］  前記規定された順序は、小さい順ではない順序でリストされた前記空間ストリームの数を備える、［１６］に記載の装置。
［１９］  前記規定された順序は、大きい順ではない順序でリストされた前記空間ストリームの数を備える、［１６］に記載の装置。
［２０］  前記複数の他の装置のそれぞれは固有識別子（ＩＤ）を有する、［１４］に記載の装置。
［２１］  前記ＳＩＧフィールドは前記複数の他の装置のグループのグループ識別子を備える、［１４］に記載の装置。
［２２］  信号（ＳＩＧ）フィールドを備えるプリアンブルを生成するように構成された第１の回路と、前記ＳＩＧフィールドは、複数の他の装置に関する複数の空間ストリームの割当て及び数を、前記複数の他の装置のそれぞれを明示的に識別せずに示す複数のビットを備える、前記プリアンブルを前記複数の他の装置に送信するように構成された送信機と、を備え、前記複数のビットはコードを表し、前記コードの異なる値は、異なる数の複数の他の装置に割当てられた空間ストリームの数の異なる組合せにマップし、前記コードは、第１の値の１乃至Ｓビットと第２の値のＮ−１ビットを備え、Ｓは前記複数の他の装置に割当てられた前記空間ストリームの数であり、Ｎは前記複数の他の装置の数である、無線通信のための装置。
［２３］  前記第１の値の各ビットは、前記複数の他の装置のうちの１つに割当てられた前記空間ストリームのうちの１つを表し、前記第２の値の各ビットは、前記複数の他の装置のうちの２者間における前記空間ストリームの割当てを視覚的に示すセパレータ・シンボルを表す  ［２２］に記載の装置。
［２４］  拡張コードを得るために前記第２の値の１または複数のビットを前記コードに付加するように構成された付加回路を、更に備え、前記拡張コードの長さは前記複数の組合せのすべてに関して同じである  ［２３］に記載の装置。
［２５］  信号（ＳＩＧ）フィールドを備えるプリアンブルを生成するように構成された第１の回路と、前記ＳＩＧフィールドは、複数の他の装置に関する複数の空間ストリームの割当て及び数を、前記複数の他の装置のそれぞれを明示的に識別せずに示す複数のビットを備える、前記プリアンブルを前記複数の他の装置に送信するように構成された送信機と、を備え、前記複数のビットはコードを表し、前記コードの異なる値は、異なる数の複数の他の装置に割当てられた空間ストリームの数の異なる組合せにマップし、前記複数の組合せは、複数の逐次的１０進整数として列挙され、前記コードの異なる値は、前記複数の逐次的１０進整数の２進表現を備える、無線通信のための装置。
［２６］  装置であって、信号（ＳＩＧ）フィールドを備えるプリアンブルを生成するように構成された第１の回路と、前記ＳＩＧフィールドは、複数の他の装置に関する複数の空間ストリームの割当て及び数を、前記複数の他の装置のそれぞれを明示的に識別せずに示す複数のビットを備える、前記プリアンブルを前記装置に送信するように構成された送信機と、を備え、前記複数のビットはコードを表し、前記コードの異なる値は、異なる数の複数の他の装置に割当てられた空間ストリームの数の異なる組合せにマップする、前記装置はさらに、複数の組合せのサブセットにマップされた前記コードの異なる値を、２進値の第１のセットを用いて前記サブセットを符号化することにより得るように構成された符号器  を備え、前記サブセットは、前記複数の他の装置のうちの少なくとも１つに１つの空間ストリームも割当てられない複数の組合せを備え、前記２進値の第１のセットは、ゼロから始まって１だけ減少された規定された値で終わる複数の逐次的１０進整数の２進表現を備え、前記規定された値は前記サブセット中の前記組合せの数を示し、前記符号器はまた、残りの複数の組合せにマップされた前記コードの残りの異なる値を、２進値の第２のセットを用いて前記残りの複数の組合せを符号化することにより得るように構成され、前記２進値の第２のセットは、前記規定された値から始まって前記複数の組合せのすべての数より１だけ減少されたもので終わる複数の逐次的１０進整数の２進表現を備える、無線通信のための装置。
［２７］  信号（ＳＩＧ）フィールドを備えるプリアンブルを生成するための手段と、前記ＳＩＧフィールドは、複数の他の装置に関する複数の空間ストリームの割当て及び数を、前記複数の他の装置のそれぞれを明示的に識別せずに示す複数のビットを備える、前記複数のビットのサブセットを前記複数の他の装置のそれぞれに割当てるための手段と、前記複数の他の装置のそれぞれに割当てられた前記複数のビットのサブセットは、その他の装置に割当てられた空間ストリームの数を示す、前記複数の他の装置のそれぞれが前記複数のビット中のその位置に基づいてその関連するサブセットを識別することを可能にするために前記複数のビットの複数のサブセットを順序付けるための手段と、前記プリアンブルを前記複数の他の装置に送信するための手段と、を備える、無線通信のための装置。
［２８］  信号（ＳＩＧ）フィールドを備えるプリアンブルを生成するための手段と、前記ＳＩＧフィールドは、複数の装置に関する複数の空間ストリームの割当て及び数を、各装置を明示的に識別せずに示す複数のビットを備える、前記プリアンブルを前記装置に送信するための手段と、を備え、前記複数のビットはコードを表し、前記コードの異なる値は、異なる数の複数の装置に割当てられた空間ストリームの数の異なる組合せにマップし、少なくとも１つのコード値は、前記装置のそれぞれに割当てられた同じ数の空間ストリームにマップする、無線通信のための装置。
［２９］  信号（ＳＩＧ）フィールドを備えるプリアンブルを生成するための手段と、前記ＳＩＧフィールドは、複数の装置に関する複数の空間ストリームの割当て及び数を、各装置を明示的に識別せずに示す複数のビットを備える、前記プリアンブルを前記装置に送信するための手段と、を備え、前記複数のビットはコードを表し、前記コードの異なる値は、異なる数の複数の装置に割当てられた空間ストリームの数の異なる組合せにマップし、前記異なる複数の組合せのそれぞれにおける前記空間ストリームの数は、規定された順序で並んでいる、無線通信のための装置。
［３０］  グループ識別子（ＩＤ）を備えるフレームを生成するための手段をさらに備え、前記グループＩＤは、前記空間ストリームの数が前記規定された順序で前記複数の他の装置に割当てられるように、前記複数の他の装置に割当てられる複数のＩＤを指定する、前記送信するための手段はさらに、前記フレームを前記複数の他の装置に送信するように構成される、［２９］に記載の装置。
［３１］  前記規定された順序は、小さい順ではない順序でリストされた前記空間ストリームの数を備える、［２９］に記載の装置。
［３２］  前記規定された順序は、大きい順ではない順序でリストされた前記空間ストリームの数を備える、［２９］に記載の装置。
［３３］  前記複数の他の装置のそれぞれは固有識別子（ＩＤ）を有する、［２７］に記載の装置。
［３４］  前記ＳＩＧフィールドは前記複数の他の装置のグループのグループ識別子を備える、［２７］に記載の装置。
［３５］  信号（ＳＩＧ）フィールドを備えるプリアンブルを生成するための手段と、前記ＳＩＧフィールドは、複数の他の装置に関する複数の空間ストリームの割当て及び数を、前記複数の他の装置のそれぞれを明示的に識別せずに示す複数のビットを備える、前記プリアンブルを前記装置に送信するための手段と、を備え、前記複数のビットはコードを表し、前記コードの異なる値は、異なる数の複数の他の装置に割当てられた空間ストリームの数の異なる組合せにマップし、前記コードは、第１の値の１乃至Ｓビットと第２の値のＮ−１ビットを備え、Ｓは前記複数の他の装置に割当てられた前記空間ストリームの数であり、Ｎは前記複数の他の装置の数である、無線通信のための装置。
［３６］  前記第１の値の各ビットは、前記複数の他の装置のうちの１つに割当てられた前記空間ストリームのうちの１つを表し、前記第２の値の各ビットは、前記複数の他の装置のうちの２者間における前記空間ストリームの割当てを視覚的に示すセパレータ・シンボルを表す  ［３５］に記載の装置。
［３７］  拡張コードを得るために前記第２の値の１または複数のビットを前記コードに付加するための手段と、前記拡張コードの長さは前記複数の組合せのすべてに関して同じである  をさらに備える、［３６］に記載の装置。
［３８］  信号（ＳＩＧ）フィールドを備えるプリアンブルを生成するための手段と、前記ＳＩＧフィールドは、複数の他の装置に関する複数の空間ストリームの割当て及び数を、前記複数の他の装置のそれぞれを明示的に識別せずに示す複数のビットを備える、前記プリアンブルを前記装置に送信するための手段と、を備え、前記複数のビットはコードを表し、前記コードの異なる値は、異なる数の複数の他の装置に割当てられた空間ストリームの数の異なる組合せにマップし、前記複数の組合せは、複数の逐次的１０進整数として列挙され、前記コードの異なる値は、前記複数の逐次的１０進整数の２進表現を備える、無線通信のための装置。
［３９］  装置であって、信号（ＳＩＧ）フィールドを備えるプリアンブルを生成するための手段と、前記ＳＩＧフィールドは、複数の他の装置に関する複数の空間ストリームの割当て及び数を、前記複数の他の装置のそれぞれを明示的に識別せずに示す複数のビットを備える、前記プリアンブルを前記装置に送信するための手段と、を備え、前記複数のビットはコードを表し、前記コードの異なる値は、異なる数の複数の他の装置に割当てられた空間ストリームの数の異なる組合せにマップする、前記装置はさらに、前記複数の組合せのサブセットにマップされた前記コードの異なる値を、２進値の第１のセットを用いて前記サブセットを符号化することにより得るための手段と、前記サブセットは、前記複数の他の装置のうちの少なくとも１つに１つの空間ストリームも割当てられない複数の組合せを備え、前記２進値の第１のセットは、ゼロから始まって１だけ減少された規定された値で終わる複数の逐次的１０進整数の２進表現を備え、前記規定された値は前記サブセット中の前記組合せの数を示し、残りの複数の組合せにマップされた前記コードの残りの異なる値を、２進値の第２のセットを用いて前記残りの複数の組合せを符号化することにより得るための手段と、前記２進値の第２のセットは、前記規定された値から始まって前記複数の組合せのすべての数より１だけ減少されたもので終わる複数の逐次的１０進整数の２進表現を備える、を備える、無線通信のための装置。
［４０］  信号（ＳＩＧ）フィールドを備えるプリアンブルを生成する、前記ＳＩＧフィールドは、複数の装置に関する複数の空間ストリームの割当て及び数を、各装置を明示的に識別せずに示す複数のビットを備える、前記複数のビットのサブセットを前記複数の他の装置のそれぞれに割当てる、前記複数の他の装置のそれぞれに割当てられた前記複数のビットのサブセットは、その他の装置に割当てられた空間ストリームの数を示す、前記複数の他の装置のそれぞれが前記複数のビット中のその位置に基づいてその関連するサブセットを識別することを可能にするために前記複数のビットの複数のサブセットを順序付ける、前記プリアンブルを前記複数の装置に送信する  ために実行可能な複数の命令を用いて符号化されたコンピュータ可読記憶媒体。
［４１］  少なくとも１つのアンテナと、信号（ＳＩＧ）フィールドを備えるプリアンブルを生成するように構成された第１の回路と、前記ＳＩＧフィールドは、複数の無線ノードに関する複数の空間ストリームの割当て及び数を、各無線ノードを明示的に識別せずに示す複数のビットを備える、前記複数のビットのサブセットを複数の他の装置のそれぞれに割当てるように構成された第２の回路と、前記複数の他の装置のそれぞれに割当てられた前記複数のビットのサブセットは、その他の装置に割当てられた空間ストリームの数を示す  前記複数の他の装置のそれぞれが前記複数のビット中のその位置に基づいてその関連するサブセットを識別することを可能にするために前記複数のビットの複数のサブセットを順序付けるように構成された第３の回路と、前記少なくとも１つのアンテナを介して前記プリアンブルを前記複数の無線ノードに送信するように構成された送信機と、を備えるアクセス・ポイント。
［４２］  装置及び複数の他の装置に送信されるプリアンブルを、前記装置において受信すること、前記プリアンブルは信号（ＳＩＧ）フィールドを備える、前記ＳＩＧフィールドは、複数の装置に関する複数の空間ストリームの割当て及び数を、各装置を明示的に識別せずに示す複数のビットを備える、前記複数のビットのサブセットを前記複数の他の装置のそれぞれに割当てること、前記複数の他の装置のそれぞれに割当てられた前記複数のビットのサブセットは、その他の装置に割当てられた空間ストリームの数を示す  前記複数の他の装置のそれぞれが前記複数のビット中のその位置に基づいてその関連するサブセットを識別することを可能にするために前記複数のビットの複数のサブセットを順序付けること  前記複数のビットに基づいて、いずれの空間ストリームが前記装置に割当てられるかを決定すること  を備える、無線通信のための方法。
［４３］  装置及び複数の他の装置に送信されるプリアンブルを、前記装置において受信すること、前記プリアンブルは信号（ＳＩＧ）フィールドを備える、前記ＳＩＧフィールドは、複数の装置に関する複数の空間ストリームの割当て及び数を、各装置を明示的に識別せずに示す複数のビットを備える、前記複数のビットに基づいて、いずれの空間ストリームが前記装置に割当てられるかを決定すること、を備え、前記複数のビットはコードを表し、前記コードの異なる値は、異なる数の複数の他の装置に割当てられた空間ストリームの数の異なる組合せにマップし、少なくとも１つのコード値は、前記複数の装置の各々に割当てられた同じ数の空間ストリームにマップする、無線通信のための方法。
［４４］  装置及び複数の他の装置に送信されるプリアンブルを、前記装置において受信すること、前記プリアンブルは信号（ＳＩＧ）フィールドを備える、前記ＳＩＧフィールドは、複数の装置に関する複数の空間ストリームの割当て及び数を、各装置を明示的に識別せずに示す複数のビットを備える、前記複数のビットに基づいて、いずれの空間ストリームが前記装置に割当てられるかを決定すること、を備え、前記複数のビットはコードを表し、前記コードの異なる値は、異なる数の複数の他の装置に割当てられた空間ストリームの数の異なる組合せにマップし、前記異なる複数の組合せのそれぞれにおける前記空間ストリームの数は、規定された順序で並んでいる、無線通信のための方法。
［４５］  前記装置及び前記複数の他の装置に送信されるフレームを、前記装置において受信すること、をさらに備え、前記フレームはグループ識別子（ＩＤ）を備える、前記グループＩＤは、前記空間ストリームの数が前記規定された順序で前記複数の装置に割当てられるように、前記複数の装置に割当てられた複数のＩＤを指定する、［４４］に記載の方法。
［４６］  前記規定された順序は、小さい順ではない順序でリストされた前記空間ストリームの数を備える、［４４］に記載の方法。
［４７］  前記規定された順序は、大きい順ではない順序でリストされた前記空間ストリームの数を備える、［４４］に記載の方法。
［４８］  前記装置に割当てられた前記空間ストリーム上のパケットを受信すること、前記受信されたパケットを復号すること、前記パケットに関連した媒体アクセス制御（ＭＡＣ）アドレスが前記装置に関連したＭＡＣアドレスと異なる場合、前記復号されたパケットを廃棄すること  をさらに備える、［４２］に記載の方法。
［４９］  装置及び複数の他の装置に送信されるプリアンブルを、前記装置において受信すること、前記プリアンブルは信号（ＳＩＧ）フィールドを備える、前記ＳＩＧフィールドは、複数の装置に関する複数の空間ストリームの割当て及び数を、各装置を明示的に識別せずに示す複数のビットを備える、前記複数のビットに基づいて、いずれの空間ストリームが前記装置に割当てられるかを決定すること、を備え、前記複数のビットはコードを表し、前記コードの異なる値は、異なる数の複数の他の装置に割当てられた空間ストリームの数の異なる組合せにマップし、前記コードは、第１の値の１乃至Ｓビットと第２の値のＮ−１ビットを備え、Ｓは前記複数の装置に割当てられた前記空間ストリームの数であり、Ｎは前記複数の装置の数である、無線通信のための方法。
［５０］  前記第１の値の各ビットは、前記複数の装置のうちの１つに割当てられた前記空間ストリームのうちの１つを表し、前記第２の値の各ビットは、前記複数の装置のうちの２者間における前記空間ストリームの割当てを視覚的に示すセパレータ・シンボルを表す  ［４９］に記載の方法。
［５１］  前記第２の値の１または複数のビットは、拡張コードを得るために前記コードに付加される、前記拡張コードの長さは前記複数の組合せのすべてに関して同じである、［５０］に記載の方法。
［５２］  装置及び複数の他の装置に送信されるプリアンブルを、前記装置において受信すること、前記プリアンブルは信号（ＳＩＧ）フィールドを備える、前記ＳＩＧフィールドは、複数の装置に関する複数の空間ストリームの割当て及び数を、各装置を明示的に識別せずに示す複数のビットを備える、前記複数のビットに基づいて、いずれの空間ストリームが前記装置に割当てられるかを決定すること、を備え、前記複数のビットはコードを表し、前記コードの異なる値は、異なる数の複数の他の装置に割当てられた空間ストリームの数の異なる組合せにマップし、前記複数の組合せは、複数の逐次的１０進整数として列挙され、前記コードの異なる値は、前記複数の逐次的１０進整数の２進表現を備える、無線通信のための方法。
［５３］  装置及び複数の他の装置に送信されるプリアンブルを、前記装置において受信すること、前記プリアンブルは信号（ＳＩＧ）フィールドを備える、前記ＳＩＧフィールドは、複数の装置に関する複数の空間ストリームの割当て及び数を、各装置を明示的に識別せずに示す複数のビットを備える、前記複数のビットに基づいて、いずれの空間ストリームが前記装置に割当てられるかを決定すること、を備え、前記複数のビットはコードを表し、前記コードの異なる値は、異なる数の複数の他の装置に割当てられた空間ストリームの数の異なる組合せにマップし、前記複数の組合せのサブセットにマップされた前記コードの異なる値は、２進値の第１のセットを用いて前記サブセットを符号化することにより得られ、前記サブセットは、前記複数の装置のうちの少なくとも１つに１つの空間ストリームも割当てられない複数の組合せを備え、前記２進値の第１のセットは、ゼロから始まって１だけ減少された規定された値で終わる複数の逐次的１０進整数の２進表現を備え、前記規定された値は前記サブセット中の前記組合せの数を示し、残りの複数の組合せにマップされた前記コードの残りの異なる値は、２進値の第２のセットを用いて前記残りの複数の組合せを符号化することにより得られ、前記２進値の第２のセットは、前記規定された値から始まって前記複数の組合せのすべての数より１だけ減少されたもので終わる複数の逐次的１０進整数の２進表現を備える  無線通信のための方法。
［５４］  装置及び複数の他の装置に送信されたプリアンブルを受信するように構成された受信機と、前記プリアンブルは信号（ＳＩＧ）フィールドを備える、前記ＳＩＧフィールドは、複数の装置に関する複数の空間ストリームの割当て及び数を、各装置を明示的に識別せずに示す複数のビットを備える、前記複数のビットに基づいて、いずれの空間ストリームが前記装置に割当てられるかを決定するように構成された回路と、前記複数のビットのサブセットを前記複数の他の装置のそれぞれに割当てるように構成された第２の回路と、前記複数の他の装置のそれぞれに割当てられた前記複数のビットのサブセットは、その他の装置に割当てられた空間ストリームの数を示す、前記複数の他の装置のそれぞれが前記複数のビット中のその位置に基づいてその関連するサブセットを識別することを可能にするために前記複数のビットの複数のサブセットを順序付けるように構成された第３の回路と、を備える、無線通信のための装置。
［５５］  装置及び複数の他の装置に送信されたプリアンブルを受信するように構成された受信機と、前記プリアンブルは信号（ＳＩＧ）フィールドを備える、前記ＳＩＧフィールドは、複数の装置に関する複数の空間ストリームの割当て及び数を、各装置を明示的に識別せずに示す複数のビットを備える、前記複数のビットに基づいて、いずれの空間ストリームが前記装置に割当てられるかを決定するように構成された回路と、を備え、前記複数のビットはコードを表し、前記コードの異なる値は、異なる数の複数の装置に割当てられた空間ストリームの数の異なる組合せにマップし、少なくとも１つのコード値は、前記装置のそれぞれに割当てられた同じ数の空間ストリームにマップする、無線通信のための装置。
［５６］  装置及び複数の他の装置に送信されたプリアンブルを受信するように構成された受信機と、前記プリアンブルは信号（ＳＩＧ）フィールドを備える、前記ＳＩＧフィールドは、複数の装置に関する複数の空間ストリームの割当て及び数を、各装置を明示的に識別せずに示す複数のビットを備える、前記複数のビットに基づいて、いずれの空間ストリームが前記装置に割当てられるかを決定するように構成された回路と、を備え、前記複数のビットはコードを表し、前記コードの異なる値は、異なる数の複数の装置に割当てられた空間ストリームの数の異なる組合せにマップする、前記異なる複数の組合せのそれぞれにおける前記空間ストリームの数は、規定された順序で並んでいる、無線通信のための装置。
［５７］  前記受信機はまた、前記装置および前記複数の他の装置に送信されたフレームを受信するように構成され、前記フレームはグループ識別子（ＩＤ）を備え、前記グループＩＤは、前記空間ストリームの数が前記規定された順序で前記複数の装置に割当てられるように、前記複数の装置に割当てられた複数のＩＤを指定する、［５６］に記載の装置。
［５８］  前記規定された順序は、小さい順ではない順序でリストされた前記空間ストリームの数を備える、［５６］に記載の装置。
［５９］  前記規定された順序は、大きい順ではない順序でリストされた前記空間ストリームの数を備える、［５６］に記載の装置。
［６０］  前記受信機はまた、前記装置に割当てられた前記空間ストリーム上のパケットを受信するように構成され、前記装置はさらに、前記受信されたパケットを復号するように構成された復号器と、前記パケットに関連した媒体アクセス制御（ＭＡＣ）アドレスが前記装置に関連したＭＡＣアドレスと異なる場合、前記復号されたパケットを廃棄するように構成された別の回路と、をさらに備える、［５４］に記載の装置。
［６１］  装置及び複数の他の装置に送信されたプリアンブルを受信するように構成された受信機と、前記プリアンブルは信号（ＳＩＧ）フィールドを備える、前記ＳＩＧフィールドは、複数の装置に関する複数の空間ストリームの割当て及び数を、各装置を明示的に識別せずに示す複数のビットを備える、前記複数のビットに基づいて、いずれの空間ストリームが前記装置に割当てられるかを決定するように構成された回路と、を備え、前記複数のビットはコードを表し、前記コードの異なる値は、異なる数の複数の装置に割当てられた空間ストリームの数の異なる組合せにマップし、前記コードは、第１の値の１乃至Ｓビットと第２の値のＮ−１ビットを備え、Ｓは前記複数の装置に割当てられた前記空間ストリームの数であり、Ｎは前記複数の装置の数である、無線通信のための装置。
［６２］  前記第１の値の各ビットは、前記複数の装置のうちの１つに割当てられた前記空間ストリームのうちの１つを表し、前記第２の値の各ビットは、前記複数の装置のうちの２者間における前記空間ストリームの割当てを視覚的に示すセパレータ・シンボルを表す  ［６１］に記載の装置。
［６３］  前記第２の値の１または複数のビットは、拡張コードを得るために前記コードに付加される、前記拡張コードの長さは前記複数の組合せのすべてに関して同じである、［６２］に記載の装置。
［６４］  装置及び複数の他の装置に送信されたプリアンブルを受信するように構成された受信機と、前記プリアンブルは信号（ＳＩＧ）フィールドを備える、前記ＳＩＧフィールドは、複数の装置に関する複数の空間ストリームの割当て及び数を、各装置を明示的に識別せずに示す複数のビットを備える、前記複数のビットに基づいて、いずれの空間ストリームが前記装置に割当てられるかを決定するように構成された回路と、を備え、前記複数のビットはコードを表し、前記コードの異なる値は、異なる数の複数の装置に割当てられた空間ストリームの数の異なる組合せにマップし、前記複数の組合せは、複数の逐次的１０進整数として列挙され、前記コードの異なる値は、前記複数の逐次的１０進整数の２進表現を備える、無線通信のための装置。
［６５］  装置及び複数の他の装置に送信されたプリアンブルを受信するように構成された受信機と、前記プリアンブルは信号（ＳＩＧ）フィールドを備える、前記ＳＩＧフィールドは、複数の装置に関する複数の空間ストリームの割当て及び数を、各装置を明示的に識別せずに示す複数のビットを備える    前記複数のビットに基づいて、いずれの空間ストリームが前記装置に割当てられるかを決定するように構成された回路と、を備え、前記複数のビットはコードを表し、前記コードの異なる値は、異なる数の複数の装置に割当てられた空間ストリームの数の異なる組合せにマップし、前記複数の組合せのサブセットにマップされた前記コードの異なる値は、２進値の第１のセットを用いて前記サブセットを符号化することにより得られ、前記サブセットは、前記複数の装置のうちの少なくとも１つに１つの空間ストリームも割当てられない複数の組合せを備え、前記２進値の第１のセットは、ゼロから始まって１だけ減少された規定された値で終わる複数の逐次的１０進整数の２進表現を備え、前記規定された値は前記サブセット中の前記組合せの数を示し、残りの複数の組合せにマップされた前記コードの残りの異なる値は、２進値の第２のセットを用いて前記残りの複数の組合せを符号化することにより得られ、前記２進値の第２のセットは、前記規定された値から始まって前記複数の組合せのすべての数より１だけ減少されたもので終わる複数の逐次的１０進整数の２進表現を備える、無線通信のための装置。
［６６］  装置及び複数の他の装置に送信されたプリアンブルを受信するための手段と、前記プリアンブルは信号（ＳＩＧ）フィールドを備える、前記ＳＩＧフィールドは、複数の装置に関する複数の空間ストリームの割当て及び数を、各装置を明示的に識別せずに示す複数のビットを備える、前記複数のビットに基づいて、いずれの空間ストリームが前記装置に割当てられるかを決定するための手段と、前記複数のビットのサブセットを前記複数の他の装置のそれぞれに割当てるための手段と、前記複数の他の装置のそれぞれに割当てられた前記複数のビットのサブセットは、その他の装置に割当てられた空間ストリームの数を示す、前記複数の他の装置のそれぞれが前記複数のビット中のその位置に基づいてその関連するサブセットを識別することを可能にするために前記複数のビットの複数のサブセットを順序付けるための手段と、を備える、無線通信のための装置。
［６７］  装置及び複数の他の装置に送信されたプリアンブルを受信するための手段と、前記プリアンブルは信号（ＳＩＧ）フィールドを備える、前記ＳＩＧフィールドは、複数の装置に関する複数の空間ストリームの割当て及び数を、各装置を明示的に識別せずに示す複数のビットを備える、前記複数のビットに基づいて、いずれの空間ストリームが前記装置に割当てられるかを決定するための手段と、を備え、前記複数のビットはコードを表し、前記コードの異なる値は、異なる数の複数の装置に割当てられた空間ストリームの数の異なる組合せにマップし、少なくとも１つのコード値は、前記装置の各々に割当てられた同じ数の空間ストリームにマップする、無線通信のための装置。
［６８］  装置及び複数の他の装置に送信されたプリアンブルを受信するための手段と、前記アンブルは信号（ＳＩＧ）フィールドを備える、前記ＳＩＧフィールドは、複数の装置に関する複数の空間ストリームの割当て及び数をプリ、各装置を明示的に識別せずに示す複数のビットを備える、前記複数のビットに基づいて、いずれの空間ストリームが前記装置に割当てられるかを決定するための手段と、を備え、前記複数のビットはコードを表し、前記コードの異なる値は、異なる数の複数の装置に割当てられた空間ストリームの数の異なる組合せにマップし、前記異なる複数の組合せのそれぞれにおける前記空間ストリームの数は、規定された順序で並んでいる、無線通信のための装置。
［６９］  前記装置および前記複数の他の装置に送信されたフレームを受信するための手段をさらに備え、前記フレームは、グループ識別子（ＩＤ）を備える、前記グループＩＤは、前記空間ストリームの数が前記規定された順序で前記複数の装置に割当てられるように、前記複数の装置に割当てられる複数のＩＤを指定する、［６８］に記載の装置。
［７０］  前記規定された順序は、小さい順ではない順序でリストされた前記空間ストリームの数を備える、［６８］に記載の装置。
［７１］  前記規定された順序は、大きい順ではない順序でリストされた前記空間ストリームの数を備える、［６８］に記載の装置。
［７２］  前記受信するための手段は、前記装置に割当てられた前記空間ストリーム上のパケットを受信するようにさらに構成され、前記装置はさらに、前記受信されたパケットを復号するための手段と、前記パケットに関連した媒体アクセス制御（ＭＡＣ）アドレスが前記装置に関連したＭＡＣアドレスと異なる場合、前記復号されたパケットを廃棄するための手段と、をさらに備える、［６６］に記載の装置。
［７３］  装置及び複数の他の装置に送信されたプリアンブルを受信するための手段と、前記プリアンブルは信号（ＳＩＧ）フィールドを備える、前記ＳＩＧフィールドは、複数の装置に関する複数の空間ストリームの割当て及び数を、各装置を明示的に識別せずに示す複数のビットを備える、前記複数のビットに基づいて、いずれの空間ストリームが前記装置に割当てられるかを決定するための手段と、を備え、前記複数のビットはコードを表し、前記コードの異なる値は、異なる数の複数の装置に割当てられた空間ストリームの数の異なる組合せにマップし、前記コードは、第１の値の１乃至Ｓビットと第２の値のＮ−１ビットを備え、Ｓは前記複数の装置に割当てられた前記空間ストリームの数であり、Ｎは前記複数の装置の数である、無線通信のための装置。
［７４］  前記第１の値の各ビットは、前記複数の装置のうちの１つに割当てられた前記空間ストリームのうちの１つを表し、前記第２の値の各ビットは、前記複数の装置のうちの２者間における前記空間ストリームの割当てを視覚的に示すセパレータ・シンボルを表す  ［７３］に記載の装置。
［７５］  前記第２の値の１または複数のビットは、拡張コードを得るために前記コードに付加される、前記拡張コードの長さは前記複数の組合せのすべてに関して同じである、［７４］に記載の装置。
［７６］  装置及び複数の他の装置に送信されたプリアンブルを受信するための手段と、前記プリアンブルは信号（ＳＩＧ）フィールドを備える、前記ＳＩＧフィールドは、複数の装置に関する複数の空間ストリームの割当て及び数を、各装置を明示的に識別せずに示す複数のビットを備える、前記複数のビットに基づいて、いずれの空間ストリームが前記装置に割当てられるかを決定するための手段と、を備え、前記複数のビットはコードを表し、前記コードの異なる値は、異なる数の複数の装置に割当てられた空間ストリームの数の異なる組合せにマップし、前記複数の組合せは、複数の逐次的１０進整数として列挙され、前記コードの異なる値は、前記複数の逐次的１０進整数の２進表現を備える、無線通信のための装置。
［７７］  装置及び複数の他の装置に送信されたプリアンブルを受信するための手段と、前記プリアンブルは信号（ＳＩＧ）フィールドを備える、前記ＳＩＧフィールドは、複数の装置に関する複数の空間ストリームの割当て及び数を、各装置を明示的に識別せずに示す複数のビットを備える、前記複数のビットに基づいて、いずれの空間ストリームが前記装置に割当てられるかを決定するための手段と、を備え、前記複数のビットはコードを表し、前記コードの異なる値は、異なる数の複数の装置に割当てられた空間ストリームの数の異なる組合せにマップし、前記複数の組合せのサブセットにマップされた前記コードの異なる値は、２進値の第１のセットを用いて前記サブセットを符号化することにより得られ、前記サブセットは、前記複数の装置のうちの少なくとも１つに１つの空間ストリームも割当てられない複数の組合せを備え、前記２進値の第１のセットは、ゼロから始まって１だけ減少された規定された値で終わる複数の逐次的１０進整数の２進表現を備え、前記規定された値は前記サブセット中の前記組合せの数を示し、残りの複数の組合せにマップされた前記コードの残りの異なる値は、２進値の第２のセットを用いて前記残りの複数の組合せを符号化することにより得られ、前記２進値の第２のセットは、前記規定された値から始まって前記複数の組合せのすべての数より１だけ減少されたもので終わる複数の逐次的１０進整数の２進表現を備える、無線通信のための装置。
［７８］  装置及び複数の他の装置に送信されたプリアンブルを、前記装置において受信する、前記プリアンブルは信号（ＳＩＧ）フィールドを備える、前記ＳＩＧフィールドは、複数の装置に関する複数の空間ストリームの割当て及び数を、各装置を明示的に識別せずに示す複数のビットを備える、前記複数のビットのサブセットを前記複数の他の装置のそれぞれに割当てる、前記複数の他の装置のそれぞれに割当てられた前記複数のビットのサブセットは、その他の装置に割当てられた空間ストリームの数を示す、前記複数の他の装置のそれぞれが前記複数のビット中のその位置に基づいてその関連するサブセットを識別することを可能にするために前記複数のビットの複数のサブセットを順序付ける、前記複数のビットに基づいて、いずれの空間ストリームが前記装置に割当てられるかを決定する  ために実行可能な複数の命令を用いて符号化されるコンピュータ可読記憶媒体。
［７９］  少なくとも１つのアンテナと、無線ノード及び複数の他の無線ノードに送信されたプリアンブルを、前記少なくとも１つのアンテナを介して受信するように構成された受信機と、前記プリアンブルは信号（ＳＩＧ）フィールドを備える、前記ＳＩＧフィールドは、複数の無線ノードに関する複数の空間ストリームの割当て及び数を、各無線ノードを明示的に識別せずに示す複数のビットを備え  前記複数のビットに基づいて、いずれの空間ストリームが前記無線ノードに割当てられるかを決定するように構成された回路と、前記複数のビットのサブセットを前記複数の無線ノードの各無線ノードに割当てるように構成された第２の回路と、前記複数の無線ノードの各無線ノードに割当てられた前記複数のビットのサブセットは、その無線ノードに割当てられた空間ストリームの数を示す、各無線ノードが前記複数のビット中のその位置に基づいてその関連するサブセットを識別することを可能にするために前記複数のビットの複数のサブセットを順序付けるように構成された第３の回路とを備える、無線ノード。
【図１】
0005973014.tif 000015
【図２】
0005973014.tif 000016
【図３】
0005973014.tif 000017
【図４】
0005973014.tif 000018
【図５】
0005973014.tif 000019
【図５Ａ】
0005973014.tif 000020
【図６】
0005973014.tif 000021
【図６Ａ】
0005973014.tif 000022
【図７】
0005973014.tif 000023
【図７Ａ】
0005973014.tif 000024
【図８】
0005973014.tif 000025
【図９Ａ】
0005973014.tif 000026
【図９Ｂ】
0005973014.tif 000027
【図９Ｃ】
0005973014.tif 000028
【図９Ｄ】
0005973014.tif 000029
【図９Ｅ】
0005973014.tif 000030
【図９Ｆ】
0005973014.tif 000031
【図１０】
0005973014.tif 000032
【図１１】
0005973014.tif 000033